(57)【要約】いくつかの例示的な実施形態は、トラフィックをオフロードするためのアクセスネットワーク発見選択機能（ＡＮＤＳＦ）のデバイス、システム、及び方法を含む。例えば、ＡＮＤＳＦ管理オブジェクト（ＭＯ）は、１以上のＡＮＤＳＦポリシーであって、少なくとも１つのＡＮＤＳＦポリシーは、セルラネットワークと無線ローカルエリアネットワーク（ＷＬＡＮ）との間でトラフィックをオフロードするためのＡＮＤＳＦ選択基準を含む、１以上のＡＮＤＳＦポリシー、及び、ＡＮＤＳＦ選択基準とセルラネットワークからの無線アクセスネットワーク（ＲＡＮ）選択基準との間の優先を示す優先インジケータを含み得る。【特許請求の範囲】
【請求項１】
アクセスネットワーク発見選択機能（ＡＮＤＳＦ）サーバから、進化型ノードＢ（ｅＮＢ）を介して、ＡＮＤＳＦ管理オブジェクト（ＭＯ）を受信するトランシーバであって、前記ＡＮＤＳＦ  ＭＯは、ＡＮＤＳＦルール及び提供されたオフロード優先インジケータ（ＯＰＩ）を含み、前記ＯＰＩは、通信事業者に固有であり、進化型ユニバーサル地上無線アクセスネットワーク（Ｅ−ＵＴＲＡＮ）／ＵＴＲＡＮのアクセスと無線ローカルエリアネットワーク（ＷＬＡＮ）のアクセスとの間の優先を示す、トランシーバと、
前記ＡＮＤＳＦルール及び前記ＯＰＩに少なくとも部分的に基づいて、前記Ｅ−ＵＴＲＡＮ／ＵＴＲＡＮと前記ＷＬＡＮとの間でトラフィックフローをルーティングするオフロードモジュールと、
を備えたユーザ機器（ＵＥ）。
【請求項２】
前記ＡＮＤＳＦルールは、システム間ルーティングポリシー（ＩＳＲＰ）、システム間モビリティポリシー（ＩＳＭＰ）、及び／又はＷＬＡＮ選択ポリシー（ＷＬＡＮＳＰ）を含む、請求項１に記載のＵＥ。
【請求項３】
前記ＵＥが、前記Ｅ−ＵＴＲＡＮ／ＵＴＲＡＮ及び前記ＷＬＡＮの両方に前記トラフィックフローを同時にルーティングできる場合、前記オフロードモジュールは、さらに、前記ＩＳＲＰを使用して、前記トラフィックフローをルーティングする、請求項２に記載のＵＥ。
【請求項４】
前記ＵＥが、前記Ｅ−ＵＴＲＡＮ／ＵＴＲＡＮ及び前記ＷＬＡＮの両方に前記トラフィックフローを同時にルーティングできない場合、前記オフロードモジュールは、さらに、前記ＩＳＭＰを使用して、前記トラフィックフローをルーティングする、請求項２に記載のＵＥ。
【請求項５】
前記ＡＮＤＳＦ  ＭＯは、前記Ｅ−ＵＴＲＡＮ／ＵＴＲＡＮによりサポートされているＲＡＮパラメータをさらに含む、請求項１に記載のＵＥ。
【請求項６】
前記ＲＡＮパラメータは、ＷＬＡＮ閾値を含み、前記オフロードモジュールは、さらに、測定されたＷＬＡＮ結果と前記ＷＬＡＮ閾値とを比較することにより、前記トラフィックフローをルーティングする、請求項５に記載のＵＥ。
【請求項７】
前記ＡＮＤＳＦ  ＭＯは、優先される選択基準が、セルラネットワークにより提供されたＲＡＮ選択基準又は前記ＡＮＤＳＦサーバにより提供されたＡＮＤＳＦ選択基準のいずれであるかを示す優先インジケータをさらに含む、請求項１に記載のＵＥ。
【請求項８】
無線ネットワークにおいて使用するためのアクセスネットワーク発見選択機能（ＡＮＤＳＦ）サーバであって、
ＡＮＤＳＦ管理オブジェクト（ＭＯ）を生成するＡＮＤＳＦモジュールであって、前記ＡＮＤＳＦ  ＭＯは、ＡＮＤＳＦルール及び提供されたオフロード優先インジケータ（ＯＰＩ）を含み、前記ＯＰＩは、通信事業者に固有であり、進化型ユニバーサル地上無線アクセスネットワーク（Ｅ−ＵＴＲＡＮ）／ＵＴＲＡＮのアクセスと無線ローカルエリアネットワーク（ＷＬＡＮ）のアクセスとの間の優先を示す、ＡＮＤＳＦモジュールと、
進化型ノードＢ（ｅＮＢ）を介して、前記ＡＮＤＳＦ  ＭＯをユーザ機器（ＵＥ）に送信するトランシーバと、
を備えたＡＮＤＳＦサーバ。
【請求項９】
前記ＵＥが、前記Ｅ−ＵＴＲＡＮ／ＵＴＲＡＮ及び前記ＷＬＡＮの両方にトラフィックフローを同時にルーティングできる場合、前記ＡＮＤＳＦルールは、システム間ルーティングポリシー（ＩＳＲＰ）を含む、請求項８に記載のＡＮＤＳＦサーバ。
【請求項１０】
前記ＵＥが、前記Ｅ−ＵＴＲＡＮ／ＵＴＲＡＮ及び前記ＷＬＡＮの両方にトラフィックフローを同時にルーティングできない場合、前記ＡＮＤＳＦルールは、システム間モビリティポリシー（ＩＳＭＰ）を含む、請求項８に記載のＡＮＤＳＦサーバ。
【請求項１１】
前記ＡＮＤＳＦルールは、ＷＬＡＮ選択ポリシー（ＷＬＡＮＳＰ）を含む、請求項８に記載のＡＮＤＳＦサーバ。
【請求項１２】
前記ＡＮＤＳＦ  ＭＯは、前記Ｅ−ＵＴＲＡＮ／ＵＴＲＡＮによりサポートされているＲＡＮパラメータをさらに含む、請求項８に記載のＡＮＤＳＦサーバ。
【請求項１３】
前記ＲＡＮパラメータは、ＷＬＡＮ閾値を含み、前記ＷＬＡＮ閾値は、測定されたＷＬＡＮ結果と前記ＷＬＡＮ閾値とを比較することによりトラフィックフローをルーティングするために前記ＵＥにより使用される、請求項１２に記載のＡＮＤＳＦサーバ。
【請求項１４】
前記ＡＮＤＳＦ  ＭＯは、優先される選択基準が、セルラネットワークにより提供されたＲＡＮ選択基準又は前記ＡＮＤＳＦサーバにより提供されたＡＮＤＳＦ選択基準のいずれであるかを示す優先インジケータをさらに含む、請求項８に記載のＡＮＤＳＦサーバ。
【請求項１５】
ユーザ機器（ＵＥ）に動作を実行させるコンピュータプログラムであって、前記動作は、
アクセスネットワーク発見選択機能（ＡＮＤＳＦ）サーバから、進化型ノードＢ（ｅＮＢ）を介して、ＡＮＤＳＦ管理オブジェクト（ＭＯ）を受信することであって、前記ＡＮＤＳＦ  ＭＯは、ＡＮＤＳＦルール及び事前に提供されたオフロード優先インジケータ（ＯＰＩ）を含み、前記ＯＰＩは、通信事業者に固有であり、進化型ユニバーサル地上無線アクセスネットワーク（Ｅ−ＵＴＲＡＮ）／ＵＴＲＡＮのアクセスと無線ローカルエリアネットワーク（ＷＬＡＮ）のアクセスとの間の優先を示す、受信することと、
前記ＡＮＤＳＦルール及び前記ＯＰＩに少なくとも部分的に基づいて、前記Ｅ−ＵＴＲＡＮ／ＵＴＲＡＮと前記ＷＬＡＮとの間でトラフィックフローをルーティングすることと、
を含む、コンピュータプログラム。
【請求項１６】
前記ＡＮＤＳＦルールは、システム間ルーティングポリシー（ＩＳＲＰ）、システム間モビリティポリシー（ＩＳＭＰ）、及びＷＬＡＮ選択ポリシー（ＷＬＡＮＳＰ）を含む、請求項１５に記載のコンピュータプログラム。
【請求項１７】
前記動作は、
前記ＵＥが、前記Ｅ−ＵＴＲＡＮ／ＵＴＲＡＮ及び前記ＷＬＡＮの両方に前記トラフィックフローを同時にルーティングできる場合、前記ＩＳＲＰを使用して、前記トラフィックフローをルーティングすること
をさらに含む、請求項１６に記載のコンピュータプログラム。
【請求項１８】
前記動作は、
前記ＵＥが、前記Ｅ−ＵＴＲＡＮ／ＵＴＲＡＮ及び前記ＷＬＡＮの両方に前記トラフィックフローを同時にルーティングできない場合、前記ＩＳＭＰを使用して、前記トラフィックフローをルーティングすること
をさらに含む、請求項１６に記載のコンピュータプログラム。
【請求項１９】
前記ＡＮＤＳＦ  ＭＯは、前記Ｅ−ＵＴＲＡＮ／ＵＴＲＡＮによりサポートされているＲＡＮパラメータをさらに含む、請求項１５に記載のコンピュータプログラム。
【請求項２０】
前記ＲＡＮパラメータは、ＷＬＡＮ閾値を含み、前記動作は、測定されたＷＬＡＮ結果と前記ＷＬＡＮ閾値とを比較することにより、前記トラフィックフローをルーティングすることを含む、請求項１９に記載のコンピュータプログラム。
【請求項２１】
前記ＡＮＤＳＦ  ＭＯは、優先される選択基準が、セルラネットワークにより提供されたＲＡＮ選択基準又は前記ＡＮＤＳＦサーバにより提供されたＡＮＤＳＦ選択基準のいずれであるかを示す優先インジケータをさらに含む、請求項１５に記載のコンピュータプログラム。
【請求項２２】
アクセスネットワーク発見選択機能（ＡＮＤＳＦ）サーバに動作を実行させるコンピュータプログラムであって、前記動作は、
ＡＮＤＳＦ管理オブジェクト（ＭＯ）を生成することであって、前記ＡＮＤＳＦ  ＭＯは、ＡＮＤＳＦルール及び事前に提供されたオフロード優先インジケータ（ＯＰＩ）を含み、前記ＯＰＩは、通信事業者に固有であり、進化型ユニバーサル地上無線アクセスネットワーク（Ｅ−ＵＴＲＡＮ）／ＵＴＲＡＮのアクセスと無線ローカルエリアネットワーク（ＷＬＡＮ）のアクセスとの間の優先を示す、生成することと、
進化型ノードＢ（ｅＮＢ）を介して、前記ＡＮＤＳＦ  ＭＯをユーザ機器（ＵＥ）に送信することと、
を含む、コンピュータプログラム。
【請求項２３】
前記ＵＥが、前記Ｅ−ＵＴＲＡＮ／ＵＴＲＡＮ及び前記ＷＬＡＮの両方にトラフィックフローを同時にルーティングできる場合、前記ＡＮＤＳＦルールは、システム間ルーティングポリシー（ＩＳＲＰ）を含む、請求項２２に記載のコンピュータプログラム。
【請求項２４】
前記ＵＥが、前記Ｅ−ＵＴＲＡＮ／ＵＴＲＡＮ及び前記ＷＬＡＮの両方にトラフィックフローを同時にルーティングできない場合、前記ＡＮＤＳＦルールは、システム間モビリティポリシー（ＩＳＭＰ）を含む、請求項２２に記載のコンピュータプログラム。
【請求項２５】
前記ＡＮＤＳＦルールは、ＷＬＡＮ選択ポリシー（ＷＬＡＮＳＰ）を含む、請求項２２に記載のコンピュータプログラム。
【請求項２６】
前記ＡＮＤＳＦ  ＭＯは、前記Ｅ−ＵＴＲＡＮ／ＵＴＲＡＮによりサポートされているＲＡＮパラメータをさらに含む、請求項２２に記載のコンピュータプログラム。
【請求項２７】
前記ＲＡＮパラメータは、ＷＬＡＮ閾値を含み、前記ＷＬＡＮ閾値は、測定されたＷＬＡＮ結果と前記ＷＬＡＮ閾値とを比較することによりトラフィックフローをルーティングするために前記ＵＥにより使用される、請求項２６に記載のコンピュータプログラム。
【請求項２８】
前記ＡＮＤＳＦ  ＭＯは、優先される選択基準が、セルラネットワークにより提供されたＲＡＮ選択基準又は前記ＡＮＤＳＦサーバにより提供されたＡＮＤＳＦ選択基準のいずれであるかを示す優先インジケータをさらに含む、請求項２２に記載のコンピュータプログラム。
【請求項２９】
請求項１５乃至２８いずれか一項に記載のコンピュータプログラムを記憶したコンピュータ読み取り可能な記憶媒体。
【発明の詳細な説明】
【技術分野】
【０００１】
本明細書に記載のいくつかの実施形態は、一般に、トラフィックをオフロードするための、トラフィックのアクセスネットワーク発見選択機能（ＡＮＤＳＦ：access  network  discovery  and  selection  function）に関する。
【０００２】
相互参照
本出願は、２０１４年１月６日に出願された「Advanced  Wireless  Communication  Systems  and  Techniques」という名称の米国仮特許出願第６１／９２４，１９４号に基づく優先権を主張するものであり、この米国仮特許出願の開示全体が、参照により本明細書に組み込まれる。
【背景技術】
【０００３】
モバイルデバイスなどの無線通信デバイスは、複数の無線通信技術を利用するよう構成され得る。
【０００４】
例えば、ユーザ機器（ＵＥ：user  equipment）デバイスは、セルラ接続（例えば、ロングタームエボリューション（ＬＴＥ：long  term  evolution）セルラ接続）及び無線ローカルエリアネットワーク（ＷＬＡＮ：wireless-local-area-network）接続（例えば、ＷｉＦｉ（登録商標）（wireless-fidelity）接続）を利用するよう構成され得る。
【０００５】
ＷＬＡＮとセルラネットワークとの間の連携及び／又は統合のレベルを高めるためのソリューションの必要性が存在する。
【図面の簡単な説明】
【０００６】
図示の単純さ及び明瞭さのために、図面に示される要素は、必ずしも縮尺通りに描かれてはいない。例えば、これらの要素のうちのいくつかの寸法は、提示の明瞭さのために、他の要素よりも誇張されていることがある。さらに、参照符号は、対応する要素又は類似する要素を示すために、図面間で繰り返されていることがある。
【図１】いくつかの例示的な実施形態に従ったシステムの概略ブロック図。
【図２】いくつかの例示的な実施形態に従った、アクセスネットワーク発見選択機能（ＡＮＤＳＦ）管理オブジェクト（ＭＯ：management  object）のユーザプロファイルノードサブオブジェクトの概略図。
【図３】いくつかの例示的な実施形態に従った、ＡＮＤＳＦ  ＭＯのシステム間ルーティングポリシー（ＩＳＲＰ：inter-system  routing  policy）ノードの概略図。
【図４】いくつかの例示的な実施形態に従った、ＡＮＤＳＦ  ＭＯの無線ローカルエリアネットワーク選択ポリシー（ＷＬＡＮＳＰ：wireless  local  area  network  selection  policy）ノードの概略図。
【図５】いくつかの例示的な実施形態に従った、ＡＮＤＳＦ  ＭＯのシステム間モビリティポリシー（ＩＳＭＰ：inter  system  mobility  policy）ノードの概略図。
【図６】いくつかの例示的な実施形態に従った、ＡＮＤＳＦ  ＭＯを使用してトラフィックをオフロードする方法の概略フローチャート。
【図７】いくつかの例示的な実施形態に従った製品の概略図。
【発明を実施するための形態】
【０００７】
以下の詳細な説明では、いくつかの実施形態の完全な理解を提供するために、多くの具体的な詳細が記載されている。しかしながら、これらの具体的な詳細がなくても、いくつかの実施形態を実施できることが、当業者には理解されよう。他の例では、周知の方法、手順、コンポーネント、ユニット、及び／又は回路は、説明を曖昧にしないようにするために、詳細には記載されていない。
【０００８】
例えば、「処理する」、「演算する」、「算出する」、「判定する」、「確立する」、「解析する」、「チェックする」などといった用語を使用した本明細書における説明は、コンピュータ、コンピューティングプラットフォーム、コンピューティングシステム、又は他の電子コンピューティングデバイスの１以上の動作及び／又は１以上の処理を指していることがある。このような動作及び／又は処理は、コンピュータのレジスタ及び／又はメモリ内の物理量（例えば、電子的な）として表されるデータを操作する、且つ／又は、そのようなデータを、コンピュータのレジスタ及び／又はメモリ、若しくは、動作及び／又は処理を実行するための命令を記憶することができる他の情報記憶媒体内の物理量として同様に表される他のデータに変換する。
【０００９】
本明細書で使用される「複数の」という用語は、例えば、「多数の」又は「２以上の」を含む。例えば、「複数のアイテム」は、２以上のアイテムを含む。
【００１０】
「一実施形態」、「ある実施形態」、「例示的な実施形態」、「様々な実施形態」などの言及は、そのように記載された実施形態が、特定の特徴、構造、又は特性を含み得るが、すべての実施形態が、そのような特定の特徴、構造、又は特性を必ずしも含むわけではないことを示す。さらに、「一実施形態において」という語句の繰り返しの使用は、同じ実施形態を指していることもあるが、必ずしも同じ実施形態を指しているとは限らない。
【００１１】
本明細書で使用される場合、別途明示されない限り、共通の対象を説明するための「第１」、「第２」、「第３」などの順序を表す形容詞の使用は、同様の対象の異なるインスタンスが参照されていることを示すに過ぎず、そのように記載された対象が、時間的、空間的、順位的、又は他のいかなる態様でも、所与の順序でなければならないことを示すようには意図されていない。
【００１２】
いくつかの実施形態は、様々なデバイス及びシステムと共に使用され得る。それらのデバイス及びシステムは、例えば、ユーザ機器（ＵＥ）、モバイルデバイス（ＭＤ：mobile  device）、無線局（ＳＴＡ：station）、パーソナルコンピュータ（ＰＣ：personal  computer）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、携帯情報端末（ＰＤＡ：personal  digital  assistant）デバイス、ハンドヘルドＰＤＡデバイス、オンボードデバイス、オフボードデバイス、ハイブリッドデバイス、車両用デバイス、非車両用デバイス、モバイルデバイス、ポータブルデバイス、コンシューマデバイス、非モバイルデバイス、非ポータブルデバイス、無線通信局、無線通信デバイス、無線アクセスポイント（ＡＰ：access  point）、無線ノード、基地局（ＢＳ：base  station）、有線ルータ、無線ルータ、有線モデム、無線モデム、ビデオデバイス、オーディオデバイス、オーディオビデオ（Ａ／Ｖ：audio-video）デバイス、有線ネットワーク、無線ネットワーク、無線エリアネットワーク、セルラネットワーク、セルラノード、セルラデバイス、無線ローカルエリアネットワーク（ＷＬＡＮ）、複数入力複数出力（ＭＩＭＯ：multiple  input  multiple  output）トランシーバ、ＭＩＭＯデバイス、単一入力複数出力（ＳＩＭＯ：single  input  multiple  output）トランシーバ、ＳＩＭＯデバイス、複数入力単一出力（ＭＩＳＯ：multiple  input  single  output）トランシーバ、ＭＩＳＯデバイス、１以上の内部アンテナ及び／又は外部アンテナを有するデバイス、デジタルビデオ放送（ＤＶＢ：digital  video  broadcast）デバイス、ＤＶＢシステム、マルチスタンダード無線デバイス、マルチスタンダード無線システム、有線ハンドヘルドデバイス、無線ハンドヘルドデバイス（例えば、スマートフォン）、無線アプリケーションプロトコル（ＷＡＰ：wireless  application  protocol）デバイス、自動販売機、販売用端末などである。
【００１３】
いくつかの実施形態は、既存のロングタームエボリューション（ＬＴＥ）仕様（３ＧＰＰ  ＴＳ  ３６．３００（３ＧＰＰ  ＴＳ  ３６．３００  Ｖ１１．７．０（２０１３−０９）；技術仕様；第３世代パートナーシッププロジェクト；技術仕様グループ：無線アクセスネットワーク；進化型ユニバーサル地上無線アクセス（Ｅ−ＵＴＲＡ：evolved  universal  terrestrial  radio  access）及び進化型ユニバーサル地上無線アクセスネットワーク（Ｅ−ＵＴＲＡＮ：：evolved  universal  terrestrial  radio  access  network）；全体説明；ステージ２（リリース１１））、３ＧＰＰ  ＴＳ  ３６．３３１（３ＧＰＰ  ＴＳ  ３６．３３１  Ｖ１１．５．０（２０１３−０９）；技術仕様；第３世代パートナーシッププロジェクト；技術仕様グループ：無線アクセスネットワーク；進化型ユニバーサル地上無線アクセス（Ｅ−ＵＴＲＡ）；無線リソース制御（ＲＲＣ：radio  resource  control）；プロトコル仕様（リリース１１））、３ＧＰＰ  ＴＳ  ２４．３０２（３ＧＰＰ  ＴＳ  ２４．３０２  Ｖ１２．３．０（２０１３−１２）；技術仕様；第３世代パートナーシッププロジェクト；技術仕様グループ：コアネットワーク及び端末；非３ＧＰＰアクセスネットワークを介する３ＧＰＰ進化型パケットコア（ＥＰＣ：evolved  packet  core）へのアクセス；ステージ３（リリース１２））、３ＧＰＰ  ２５．３３１（３ＧＰＰ  ＴＳ  ２５．３３１  Ｖ１１．７．０（２０１３−０９）；技術仕様；第３世代パートナーシッププロジェクト；技術仕様グループ：無線アクセスネットワーク；無線リソース制御（ＲＲＣ）；プロトコル仕様（リリース１１））、３ＧＰＰ  ＴＳ  ２５．３０４（３ＧＰＰ  ＴＳ  ２５．３０４  Ｖ１１．４．０（２０１３−０９）；技術仕様；第３世代パートナーシッププロジェクト；技術仕様グループ：無線アクセスネットワーク；ユーザ機器（ＵＥ）のアイドルモードでのプロシージャ及び接続モードでのセル再選択のためのプロシージャ（リリース１１））、３ＧＰＰ  ＴＳ  ２３．４０２（３ＧＰＰ  ＴＳ  ２３．４０２  Ｖ１２．３．０（２０１３−１２）；技術仕様；第３世代パートナーシッププロジェクト；技術仕様グループ：サービス及びシステムの側面；非３ＧＰＰアクセスのためのアーキテクチャ拡張（リリース１２））、及び３ＧＰＰ  ＴＳ  ２４．３１２（３ＧＰＰ  ＴＳ  ２４．３１２  Ｖ１２．３．０（２０１３−１２）；技術仕様；第３世代パートナーシッププロジェクト；技術仕様グループ：コアネットワーク及び端末、アクセスネットワーク発見選択機能（ＡＮＤＳＦ）管理オブジェクト（ＭＯ）（リリース１２））を含む）並びに／又はそれらの将来のバージョン及び／若しくは派生バージョンに従って動作するデバイス及び／又はネットワークと共に、既存のＩＥＥＥ８０２．１６規格（ＩＥＥＥ規格８０２．１６、２００９年版、Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ；ＩＥＥＥ規格８０２．１６ｅ、２００５年版、Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ；タス��グループｍにより策定されたＩＥＥＥ規格８０２．１６−２００９に対する修正）並びに／又はそれらの将来のバージョン及び／若しくは派生バージョンに従って動作するデバイス及び／又はネットワークと共に、且つ／又は、前述のネットワークの一部であるユニット及び／又はデバイスなどと共に、使用され得る。
【００１４】
いくつかの実施形態は、１以上のタイプの無線通信信号及び／又は無線通信システムと共に使用され得る。そのような無線通信信号及び／又は無線通信システムは、例えば、無線周波数（ＲＦ：radio  frequency）、周波数分割多重化（ＦＤＭ：frequency-division  multiplexing）、直交ＦＤＭ（ＯＦＤＭ：orthogonal  FDM）、シングルキャリア周波数分割多重接続（ＳＣ−ＦＤＭＡ：single  carrier  frequency  division  multiple  access）、時分割多重化（ＴＤＭ：time-division  multiplexing）、時分割多重接続（ＴＤＭＡ：time-division  multiple  access）、拡張ＴＤＭＡ（Ｅ−ＴＤＭＡ：extended  TDMA）、汎用パケット無線サービス（ＧＰＲＳ：general  packet  radio  service）、拡張ＧＰＲＳ、符号分割多重接続（ＣＤＭＡ：code-division  multiple  access）、広帯域ＣＤＭＡ（ＷＣＤＭＡ（登録商標）：wideband  CDMA）、ＣＤＭＡ２０００、シングルキャリアＣＤＭＡ、マルチキャリアＣＤＭＡ、マルチキャリア変調（ＭＤＭ：multi-carrier  modulation）、離散マルチトーン（ＤＭＴ：discrete  multi-tone）、Ｂｌｕｅｔｏｏｔｈ（登録商標）、全地球測位システム（ＧＰＳ：global  positioning  system）、Ｗｉ−Ｆｉ（登録商標）、Ｗｉ−Ｍａｘ（登録商標）、ＺｉｇＢｅｅ（登録商標）、超広帯域（ＵＷＢ：ultra-wideband）、ＧＳＭ（登録商標）（global  system  for  mobile  communication）、第２世代（２Ｇ：second  generation）モバイルネットワーク、２．５Ｇモバイルネットワーク、３Ｇモバイルネットワーク、３．５Ｇモバイルネットワーク、４Ｇモバイルネットワーク、４．５Ｇモバイルネットワーク、第５世代（５Ｇ：fifth  generation）モバイルネットワーク、３ＧＰＰ、ロングタームエボリューション（ＬＴＥ）セルラシステム、ＬＴＥアドバンスセルラシステム、ＬＴＥ無認可システム、高速下りリンクパケットアクセス（ＨＳＤＰＡ：high-speed  downlink  packet  access）、高速上りリンクパケットアクセス（ＨＳＵＰＡ：high-speed  uplink  packet  access）、高速パケットアクセス（ＨＳＰＡ：high-speed  packet  access）、ＨＳＰＡ＋、シングルキャリア無線伝送技術（１ＸＲＴＴ：single  carrier  radio  transmission  technology）、ＥＶ−ＤＯ（evolution-data  optimized）、ＥＤＧＥ（enhanced  data  rates  for  GSM  evolution）などである。他の実施形態は、様々な他のデバイス、システム、及び／又はネットワークにおいて使用され得る。
【００１５】
本明細書で使用される「無線デバイス」という用語は、例えば、無線通信が可能なデバイス、無線通信が可能な通信デバイス、無線通信が可能な通信局、無線通信が可能なポータブルデバイス又は非ポータブルデバイスなどを含む。いくつかの例示的な実施形態において、無線デバイスは、コンピュータと統合されるペリフェラル（peripheral）又はコンピュータに取り付けられるペリフェラルである場合もあるし、そのようなペリフェラルを含む場合もある。いくつかの例示的な実施形態において、「無線デバイス」という用語は、任意的に、無線サービスを含んでもよい。
【００１６】
無線通信信号に関連して本明細書で使用される「通信する」という用語は、無線通信信号を送信すること及び／又は無線通信信号を受信することを含む。例えば、無線通信信号を通信することができる無線通信ユニットは、無線通信信号を少なくとも１つの他の無線通信ユニットに送信するための無線送信機及び／又は無線通信信号を少なくとも１つの他の無線通信ユニットから受信するための無線通信受信機を含み得る。「通信する」という動詞は、送信する動作又は受信する動作を指すために使用され得る。一例において、「信号を通信する」という語句は、第１のデバイスが信号を送信する動作を指すことができ、第２のデバイスが信号を受信する動作を必ずしも含まなくてもよい。別の例において、「信号を通信する」という語句は、第１のデバイスが信号を受信する動作を指すことができ、第２のデバイスが信号を送信する動作を必ずしも含まなくてもよい。
【００１７】
本明細書において、いくつかの例示的な実施形態は、ＬＴＥネットワークに関連して説明されている。しかしながら、他の実施形態は、任意の他の適切なセルラネットワーク又はセルラシステム（例えば、ユニバーサル移動体通信システム（ＵＭＴＳ：universal  mobile  telecommunications  system）セルラシステム、ＧＳＭ（登録商標）ネットワーク、３Ｇセルラネットワーク、４Ｇセルラネットワーク、４．５Ｇネットワーク、５Ｇセルラネットワーク、ＷｉＭＡＸ（登録商標）セルラネットワークなど）において実施され得る。
【００１８】
本明細書において、いくつかの例示的な実施形態は、ＷＬＡＮシステムに関連して説明されている。しかしながら、他の実施形態は、任意の他の適切な非セルラネットワークにおいて実施され得る。
【００１９】
いくつかの例示的な実施形態は、異種ネットワーク（ＨｅｔＮｅｔ：heterogeneous  network）と共に使用され得る。ＨｅｔＮｅｔは、例えば、セルラ、ミリメートル波、及び／又は同様のものを含め、技術、周波数、セルサイズ、及び／又はネットワークアーキテクチャを組み合わせたデプロイメント（配備：deployment）を利用することができる。一例において、ＨｅｔＮｅｔは、大型マクロセルから小型セル（例えば、ピコセル及びフェムトセル）に至る異なるサイズのセルの層（layer）を有する無線アクセスネットワークを含み得る。他の実施形態は、任意の他の適切な無線通信ネットワークと共に使用され得る。
【００２０】
本明細書で使用される「アンテナ」という用語は、１以上のアンテナ素子、コンポーネント、ユニット、アセンブリ、及び／又はアレイの任意の適切な構成、構造、及び／又は配置を含み得る。いくつかの実施形態において、アンテナは、別々の送信アンテナ素子及び受信アンテナ素子を使用して、送信機能及び受信機能を実装することができる。いくつかの実施形態において、アンテナは、共通する且つ／又は統合された送信／受信素子を使用して、送信機能及び受信機能を実装することができる。例えば、アンテナは、フェーズドアレイアンテナ、単一素子アンテナ、ダイポールアンテナ、切り替えビームアンテナのセット、及び／又は同様のものを含み得る。
【００２１】
本明細書で使用される「セル」という用語は、ネットワークリソース（例えば、下りリンクリソース及び任意的に上りリンクリソース）の組合せを含み得る。これらのリソースは、例えば、セルラノード（「基地局」とも呼ばれる）などによって、制御され得る且つ／又は割り当てられ得る。下りリンクリソースの搬送周波数と上りリンクリソースの搬送周波数との間のリンクは、下りリンクリソース上で伝送されるシステム情報において示され得る。
【００２２】
本明細書で使用される「アクセスポイント」（ＡＰ）という語句は、局（ＳＴＡ）を含むエンティティであって、関連付けられているＳＴＡのための無線媒体（ＷＤ：wireless  medium）を介して配信サービスへのアクセスを提供するエンティティを含み得る。
【００２３】
本明細書で使用される「局」（ＳＴＡ）という用語は、ＷＭへの媒体アクセス制御（ＭＡＣ：medium  access  control）及び物理レイヤ（ＰＨＹ）インタフェースの個々にアドレス指定可能なインスタンスである任意の論理的エンティティを含み得る。
【００２４】
次に図１を参照すると、図１は、いくつかの例示的な実施形態に従ったシステム１００のブロック図を概略的に示している。
【００２５】
図１に示されるように、いくつかの例示的な実施形態において、システム１００は、例えば以下で説明するように、１以上の無線媒体（例えば、無線チャネル、セルラチャネル、ＲＦチャネル、ＷｉＦｉ（登録商標）チャネル、ＩＲチャネルなど）を介して、コンテンツ、データ、情報、及び／又は信号を通信することができる１以上の無線通信デバイスを含み得る。システム１００の１以上の要素は、任意的に、任意の適切な有線通信リンクを介して通信することができてもよい。
【００２６】
いくつかの例示的な実施形態において、システム１００は、例えば以下で説明するように、少なくとも１つの無線アクセスネットワーク（ＲＡＮ）１１９を介して、且つ／又は少なくとも１つの非セルラネットワークを介して、１以上の有線ネットワーク１８０と通信することができる少なくとも１つのユーザ機器（ＵＥ）１０２を含み得る。
【００２７】
いくつかの例示的な実施形態において、ＵＥ１０２は、例えば、モバイルコンピュータ、ＭＤ、ＳＴＡ、ラップトップコンピュータ、ノートブックコンピュータ、タブレットコンピュータ、Ｕｌｔｒａｂｏｏｋ（登録商標）コンピュータ、ハンドヘルドコンピュータ、ハンドヘルドデバイス、記憶デバイス、ＰＤＡデバイス、ハンドヘルドＰＤＡデバイス、オンボードデバイス、オフボードデバイス、ハイブリッドデバイス（例えば、セルラ電話機機能とＰＤＡデバイス機能とを組み合わせたもの）、コンシューマデバイス、車両用デバイス、非車両用デバイス、モバイルデバイス、ポータブルデバイス、携帯電話機、セルラ電話機、ＰＣＳデバイス、モバイルＧＰＳデバイス、ポータブルＧＰＳデバイス、ＤＶＢデバイス、比較的小型のコンピューティングデバイス、非デスクトップコンピュータ、「ＣＳＬＬ（carry  small  live  large）」デバイス、ウルトラモバイルデバイス（ＵＭＤ：ultra  mobile  device）、ウルトラモバイルＰＣ（ＵＭＰＣ：ultra  mobile  PC）、モバイルインターネットデバイス（ＭＩＤ：mobile  internet  device）、「Ｏｒｉｇａｍｉ」デバイス、「Ｏｒｉｇａｍｉ」コンピューティングデバイス、ビデオデバイス、オーディオデバイス、Ａ／Ｖデバイス、ゲームデバイス、メディアプレイヤ、スマートフォンなどを含み得る。
【００２８】
いくつかの例示的な実施形態において、ネットワーク１８０は、１以上のパケットデータネットワーク（ＰＤＮ：packet  data  network）を含み得る。例えば、ネットワーク１８０は、インターネットネットワーク、ＩＰマルチメディアコアネットワークサブシステム（ＩＭＳ：IP  multimedia  core  network  subsystem）ネットワーク、及び／又は任意の他のＰＤＮを含み得る。他の実施形態において、ネットワーク１８０は、任意の他の適切な追加的及び／又は代替的なネットワークを含んでもよい。
【００２９】
いくつかの例示的な実施形態において、ＲＡＮ１１９は、１以上のセルラノード（「ノード」）により制御される１以上のセルを含み得る。例えば、ＲＡＮ１１９は、進化型ノードＢ（ｅＮＢ：evolved  Node  B）１０４、ノードＢ１９６、及び／又は任意の他のセルラノード（例えば、基地局（ＢＳ）、ベーストランシーバ基地局（ＢＴＳ：base  transceiver  station）など）を含み得る。
【００３０】
いくつかの例示的な実施形態において、ｅＮＢ１０４は、無線リソース管理（ＲＲＭ：radio  resource  management）、無線ベアラ制御、無線アドミッション制御（アクセス制御）、接続モビリティ管理、ＵＥとｅＮＢ無線機との間のリソーススケジューリング（例えば、上りリンク及び下りリンクの両方でのＵＥへのリソースの動的割り当て）、ヘッダ圧縮、ユーザデータストリームのリンク暗号化、宛先（例えば、別のｅＮＢ又は進化型パケットコア（ＥＰＣ））へのユーザデータのパケットルーティング、ページングメッセージ（例えば、着呼及び／又は接続要求）のスケジューリング及び／若しくは送信、ブロードキャスト情報調整、測定のレポート、並びに／又は他の動作を実行するよう構成され得る。
【００３１】
いくつかの例示的な実施形態において、システム１００は、アクセスポイント（ＡＰ）１０６により管理される、例えば、基本サービスセット（ＢＳＳ：basic  service  set）などのＷＬＡＮといった非セルラネットワークを含み得る。
【００３２】
いくつかの例示的な実施形態において、非セルラネットワークの少なくとも一部は、ＲＡＮ１１９のカバレッジエリア内に存在し得る。例えば、ＡＰ１０６は、ｅＮＢ１０４のカバレッジエリア内に存在し得る。
【００３３】
いくつかの例示的な実施形態において、システム１００はまた、コアネットワーク（ＣＮ又はＣＮＷ）１６０を含み得る。ＣＮ１６０は、例えば以下で説明するように、１以上のサービスをＵＥ１０２に提供する、且つ／又は、ＵＥ１０２とＲＡＮ１１９及び／又はネットワーク１８０との間の通信をセットアップ及び／又は管理するよう構成され得る。
【００３４】
いくつかの例示的な実施形態において、ＣＮ１６０は、ＵＥ１０２とネットワーク１８０のＰＤＮとの間のＰＤＮ接続をサポートするための１以上のＰＤＮゲートウェイ（ＰＧＷ：PDN  gateway）１７３を含み得る。
【００３５】
いくつかの例示的な実施形態において、ＰＧＷ１７３は、アクセスポイント名（ＡＰＮ：access  point  name）に関連付けられ得る。例えば、ＵＥ１０２は、ＰＧＷ１７３のＡＰＮを利用して、ＰＧＷ１７３を介するネットワーク１８０への接続を容易にすることができる。
【００３６】
いくつかの例示的な実施形態において、コアネットワーク１６０は、アクセスネットワーク発見選択機能（ＡＮＤＳＦ）サーバ１６２を含み得る。ＡＮＤＳＦサーバ１６２は、無線アクセス技術（ＲＡＴ：radio  access  technology）ネットワーク間で、例えば以下で説明するように、例えば、ＲＡＮ１１９とＷＬＡＮ  ＡＰ１０６との間で、トラフィックを誘導する（steer）ことにおいて、ＵＥ１０２を支援するよう構成され得る。
【００３７】
いくつかの例示的な実施形態において、ＡＮＤＳＦサーバ１６２は、例えば以下で説明するように、１以上のＡＮＤＳＦポリシーを含む１以上のＡＮＤＳＦ管理オブジェクト（ＭＯ）１６３を決定するＡＮＤＳＦポリシーモジュール１６８を含み得る。
【００３８】
いくつかの例示的な実施形態において、ＡＮＤＳＦポリシーモジュール１６８は、モジュール１６８の機能の少なくとも一部を実行するよう構成され得る適切な回路（例えば、コントローラ回路、プロセッサ回路、メモリ回路、及び／又は任意の他の回路）を含んでもよいし、そのような適切な回路を使用して実装されてもよい。追加的又は代替的に、モジュール１６８の１以上の機能は、例えば以下で説明するように、マシン及び／又は１以上のプロセッサによって実行され得るロジックにより実装されてもよい。
【００３９】
いくつかの例示的な実施形態において、ＡＮＤＳＦサーバ１６２は、例えば以下で説明するように、ＡＮＤＳＦサーバ１６２とシステム１００の１以上の他の要素との間でインタフェースを取るための１以上のインタフェースを含み得る。
【００４０】
いくつかの例示的な実施形態において、ＡＮＤＳＦサーバ１６２は、１以上のＡＮＤＳＦ  ＭＯ１６３をＵＥ１０２に通信するための通信インタフェース１６４を含み得る。例えば、インタフェース１６４は、ＲＡＮ１１９及び／又はＷＬＡＮ  ＡＰ１０６を介して、ＡＮＤＳＦ  ＭＯ１６３を通信することができる。一例において、インタフェース１６４は、Ｓ１４参照ポイント（S14  reference  point）を介してＵＥ１０２と通信するためのＳ１４インタフェース、又は任意の他のインタフェースを含み得る。
【００４１】
いくつかの例示的な実施形態において、ＵＥ１０２、ｅＮＢ１０４、ＡＰ１０６、及び／又はノードＢ１９６は、例えば以下で説明するように、ＵＥ１０２、ＲＡＮ１１９、ＡＰ１０６、及び／又は１以上の他の無線通信デバイスの間で無線通信を実行するための１以上の無線通信ユニットを含み得る。
【００４２】
いくつかの例示的な実施形態において、ＵＥ１０２は、ＲＡＮ１１９と通信するためのセルラトランシーバ（ＴＲｘ）１４６と、ＡＰ１０６と通信するためのＷＬＡＮ  ＴＲｘ１４７と、を含み得る。
【００４３】
いくつかの例示的な実施形態において、セルラＴＲｘ１４６及び／又はＷＬＡＮ  ＴＲｘ１４７は、１以上のアンテナを含み得る、又は１以上のアンテナに関連付けられ得る。一例において、ＵＥ１０２は、少なくとも２つのアンテナ（例えば、アンテナ１１２及び１１４）又は任意の他の数のアンテナ（例えば、１つのアンテナ又は３つ以上のアンテナ）を含み得る。
【００４４】
いくつかの例示的な実施形態において、アンテナ１１２及び／又は１１４は、無線通信信号、ブロック、フレーム、伝送ストリーム、パケット、メッセージ、及び／又はデータを送信及び／又は受信するのに適した任意のタイプのアンテナを含み得る。例えば、アンテナ１１２及び／又は１１４は、１以上のアンテナ素子、コンポーネント、ユニット、アセンブリ、及び／又はアレイの任意の適切な構成、構造、及び／又は配置を含み得る。例えば、アンテナ１１２及び／又は１１４は、フェーズドアレイアンテナ、ダイポールアンテナ、単一素子アンテナ、切り替えビームアンテナのセット、及び／又は同様のものを含み得る。
【００４５】
いくつかの実施形態において、アンテナ１１２及び／又は１１４は、別々の送信アンテナ素子及び受信アンテナ素子を使用して、送信機能及び受信機能を実装することができる。いくつかの実施形態において、アンテナ１１２及び／又は１１４は、共通する且つ／又は統合された送信／受信素子を使用して、送信機能及び受信機能を実装することができる。
【００４６】
いくつかの例示的な実施形態において、セルラＴＲｘ１４６及び／又はＷＬＡＮ  ＴＲｘ１４７は、無線通信信号、ＲＦ信号、フレーム、ブロック、伝送ストリーム、パケット、メッセージ、データアイテム、及び／又はデータを送信及び／又は受信することができる１以上の無線送信機、無線受信機、及び／又は無線トランシーバを含み得る。
【００４７】
いくつかの例示的な実施形態において、ＷＬＡＮ  ＴＲｘ１４７は、ＷＬＡＮリンクを介してＡＰ１０６と通信するよう構成され得、セルラトランシーバ１４６は、セルラリンクを介してＲＡＮ１１９と通信するよう構成され得る。
【００４８】
いくつかの例示的な実施形態において、ＷＬＡＮリンクは、例えば、ＷｉＦｉ（登録商標）リンク、無線ギガビット（ＷｉＧｉｇ：Wireless  Gigabit）リンク、又は任意の他のリンクを含み得る。いくつかの例示的な実施形態において、ＷＬＡＮリンクは、例えば、２．４ギガヘルツ（ＧＨｚ）周波数帯域又は５ＧＨｚ周波数帯域、６０ＧＨｚ周波数帯域、又は任意の他の周波数帯域上のリンクを含み得る。
【００４９】
いくつかの例示的な実施形態において、セルラＴＲｘ１４６は、必要に応じてアンテナビームフォーミング手法を実行することができる複数入力複数出力（ＭＩＭＯ）送信機受信機システム（図示せず）を含み得る。他の実施形態において、セルラＴＲｘ１４６は、任意の他の送信機及び／又は受信機を含み得る。
【００５０】
いくつかの例示的な実施形態において、セルラＴＲｘ１４６は、必要に応じてデータビットをデータシンボルに符号化及び／又は復号するためのターボエンコーダ及び／又はターボデコーダ（図示せず）を含み得る。他の実施形態において、セルラＴＲｘ１４６は、任意の他のエンコーダ及び／又はデコーダを含み得る。
【００５１】
いくつかの例示的な実施形態において、セルラＴＲｘ１４６は、例えば、ＲＡＮ１１９とＵＥ１０２との間で、下りリンクチャネルを介してＯＦＤＭ信号を通信し、例えば、ＵＥ１０２とＲＡＮ１１９との間で、上りリンクチャネルを介してＳＣ−ＦＤＭＡ信号を通信するよう構成されたＯＦＤＭ及び／又はＳＣ−ＦＤＭＡ変調器及び／又は復調器（図示せず）を含み得る。他の実施形態において、セルラＴＲｘ１４６は、任意の他の変調器及び／又は復調器を含み得る。
【００５２】
いくつかの例示的な実施形態において、ＷＬＡＮ  ＴＲｘ１４７は、ＡＰ１０６とのＷＬＡＮリンクを確立することができる。例えば、ＷＬＡＮ  ＴＲｘ１４７は、１以上のＳＴＡ（例えば、１以上のＷｉＦｉ（登録商標）  ＳＴＡ、ＷＬＡＮ  ＳＴＡ、及び／又はミリメートル波（ミリ波）ＳＴＡ）の機能を実行することができる。ＷＬＡＮリンクは、上りリンク及び／又は下りリンクを含み得る。例えば、ＷＬＡＮ下りリンクは、ＡＰ１０６から１以上のＳＴＡへの単方向リンクを含み得る。例えば、ＷＬＡＮ上りリンクは、ＳＴＡからＡＰ１０６への単方向リンクを含み得る。
【００５３】
いくつかの例示的な実施形態において、ＵＥ１０２はまた、例えば、プロセッサ１２４、入力ユニット１１６、出力ユニット１１８、メモリユニット１２０、及び記憶ユニット１２２のうちの１以上を含み得る。ＵＥ１０２は、任意的に、他の適切なハードウェアコンポーネント及び／又はソフトウェアコンポーネントを含んでもよい。いくつかの例示的な実施形態において、ＵＥ１０２のコンポーネントの一部又は全ては、共通のハウジング又はパッケージ内に収容され、１以上の有線リンク又は無線リンクを使用して、相互接続され得る、又は動作可能に関連付けられ得る。
【００５４】
いくつかの例示的な実施形態において、ＡＮＤＳＦサーバ１６２はまた、例えば、プロセッサ１７２及び／又はメモリユニット１７１を含み得る。ＡＮＤＳＦサーバ１６２は、任意的に、他の適切なハードウェアコンポーネント及び／又はソフトウェアコンポーネントを含んでもよい。いくつかの例示的な実施形態において、ＡＮＤＳＦサーバ１６２のコンポーネントの一部又は全ては、共通のハウジング又はパッケージ内に収容され、１以上の有線リンク又は無線リンクを使用して、相互接続され得る、又は動作可能に関連付けられ得る。他の実施形態において、ＭＭＥ１６２のコンポーネントは、複数の又は別個のデバイス間で分散され得る。
【００５５】
プロセッサ１２４及び／又はプロセッサ１７２は、例えば、中央処理装置（ＣＰＵ：central  processing  unit）、デジタル信号プロセッサ（ＤＳＰ：digital  signal  processor）、１以上のプロセッサコア、シングルコアプロセッサ、デュアルコアプロセッサ、マルチコアプロセッサ、マイクロプロセッサ、ホストプロセッサ、コントローラ、複数のプロセッサ、複数のコントローラ、チップ、マイクロチップ、１以上の回路、論理ユニット、集積回路（ＩＣ：integrated  circuit）、特定用途向けＩＣ（ＡＳＩＣ：application-specific  IC）、又は、任意の他の適切な多目的の若しくは専用のプロセッサ若しくはコントローラを含む。プロセッサ１２４は、例えば、ＵＥ１０２のオペレーティングシステム（ＯＳ：operating  system）及び／又は１以上の適切なアプリケーションの命令を実行する。プロセッサ１７２は、例えば、ＡＮＤＳＦサーバ１６２のオペレーティングシステム（ＯＳ）及び／又は１以上の適切なアプリケーションの命令を実行する。
【００５６】
入力ユニット１１６は、例えば、キーボード、キーパッド、マウス、タッチスクリーン、タッチパッド、トラックボール、スタイラス、マイクロフォン、又は、他の適切なポインティングデバイス若しくは入力デバイスを含む。出力ユニット１１８は、例えば、モニタ、スクリーン、タッチスクリーン、フラットパネルディスプレイ、陰極線管（ＣＲＴ：cathode  ray  tube）ディスプレイユニット、液晶ディスプレイ（ＬＣＤ：liquid  crystal  display）ディスプレイユニット、プラズマディスプレイユニット、１以上のオーディオスピーカ若しくはイヤフォン、又は他の適切な出力デバイスを含む。
【００５７】
メモリユニット１２０は、例えば、ランダムアクセスメモリ（ＲＡＭ：random  access  memory）、読み取り専用メモリ（ＲＯＭ：read  only  memory）、ダイナミックＲＡＭ（ＤＲＡＭ：dynamic  RAM）、シンクロナスＤＲＡＭ（ＳＤ−ＲＡＭ：synchronous  DRAM）、フラッシュメモリ、揮発性メモリ、不揮発性メモリ、キャッシュメモリ、バッファ、短期メモリユニット、長期メモリユニット、又は他の適切なメモリユニットを含む。記憶ユニット１２２は、例えば、ハードディスクドライブ、フロッピディスクドライブ、コンパクトディスク（ＣＤ：compact  disk）ドライブ、ＣＤ−ＲＯＭドライブ、ＤＶＤドライブ、又は、他の適切な取り外し可能若しくは取り外し不可能な記憶ユニットを含む。メモリユニット１２０及び／又は記憶ユニット１２２は、例えば、ＵＥ１０２により処理されるデータを記憶することができる。メモリユニット１７１は、例えば、ＡＮＤＳＦサーバ１６２により処理されるデータを記憶することができる。
【００５８】
いくつかの例示的な実施形態において、ＵＥ１０２は、ＲＡＮ１１９と通信するために、セルラ接続（例えば、ロングタームエボリューション（ＬＴＥ）セルラ接続、ユニバーサル移動体通信システム（ＵＭＴＳ）接続、又は任意の他のセルラ接続）を利用するよう構成され得、ＡＰ１０６と通信するために、ＷＬＡＮ接続（例えば、ＷｉＦｉ（登録商標）接続又は任意の他のＷＬＡＮ接続）を利用するよう構成され得る。
【００５９】
いくつかの例示的な実施形態において、セルラＴＲｘ１４６は、ＵＥ１０２とＲＡＮ１１９との間のセルラリンクを利用して、例えば、１以上のＰＧＷ１７３を介して、１以上のＰＤＮ接続のトラフィックを通信する。
【００６０】
いくつかの例示的な実施形態において、ＵＥ１０２は、ＵＥ１０２と１以上のＰＧＷ１７３との間の１以上のＰＤＮ接続を介して、１以上のベアラ（例えば、１以上の進化型パケット交換システム（ＥＰＳ：evolved  packet-switched  system）ベアラ）を確立することができる。
【００６１】
いくつかの例示的な実施形態において、システム１００の１以上の要素は、ＨｅｔＮｅｔの機能を実行することができる。ＨｅｔＮｅｔは、例えば、セルラ、ＷＬＡＮ、及び／又は同様のものを含め、技術、周波数、セルサイズ、及び／又はネットワークアーキテクチャを組み合わせたデプロイメントを利用することができる。
【００６２】
例えば、ＨｅｔＮｅｔは、第１の無線通信環境（例えば、セルラネットワーク）を介してサービスを提供し、別の通信環境（例えば、ＷＬＡＮ）に切り替えたときにサービスを維持するよう構成され得る。ＨｅｔＮｅｔアーキテクチャは、例えば、顧客の要求の急速な変化に最適に対応するために、電力消費量を低減させるために、コストを削減するために、効率を向上させるために、且つ／又は任意の他の利益を達成するために、無線通信環境の組合せ（例えば、ＷＬＡＮ環境及びセルラ環境）を利用することを可能にし得る。
【００６３】
一例において、システム１００は、マクロセルラデプロイメントの上に重ねられた小型セル（例えば、ピコセル、フェムトセル、リレー局、ＷｉＦｉ（登録商標）  ＡＰなど）の層（tier）を含む、マルチ層のマルチ無線アクセス技術（Ｍｕｌｔｉ−ＲＡＴ：multi-radio  access  technology）Ｈｅｔ−Ｎｅｔアーキテクチャを利用して、ネットワーク能力を強化することができる。
【００６４】
別の例において、システム１００は、ＷｉＦｉ（登録商標）無線インタフェース及び３ＧＰＰ無線インタフェースなどの複数の無線機を１つのインフラストラクチャデバイスに統合したＭｕｌｔｉ−ＲＡＴ小型セルを利用することができる。
【００６５】
他の実施形態において、システム１００は、任意の他のアーキテクチャ及び／又はデプロイメントを実装することができる。
【００６６】
いくつかの例示的な実施形態において、例えば、ＵＥ１０２がＡＰ１０６から十分強い信号を受信する間、ＷＬＡＮ接続をデフォルトの接続として利用することは、多数のＵＥが同じＡＰに同時に接続した場合、ＷＬＡＮの輻輳の増大をもたらす可能性がある。これが、今度は、ＵＥ１０２とＡＰ１０６との間のＷＬＡＮ接続のスループットの低下をもたらす可能性がある。
【００６７】
いくつかの例示的な実施形態において、システム１００は、例えば以下で詳細に説明するように、例えば、１以上の基準及び／又はパラメータに基づいて、ＷＬＡＮ又はＲＡＮ１１９を介するネットワーク１８０へのＵＥ１０２の選択的接続を可能にするよう構成され得る。
【００６８】
いくつかの例示的な実施形態において、ＲＡＮ１１９及び／又はＡＰ１０６を介するＵＥ１０２とネットワーク１８０との間の選択的接続は、例えば、ＷＬＡＮとセルラネットワークとの間の負荷平衡を可能にし得る。
【００６９】
いくつかの例示的な実施形態において、ＵＥ１０２は、ＵＥ中心（UE-centric）（「ＵＥ制御型（UE  controlled）」とも呼ばれる）のアクセスネットワーク選択方式を促進するよう構成され得る。この方式において、ＵＥ１０２は、ＵＥ１０２により利用されるアクセスネットワークを選択することができる。
【００７０】
いくつかの例示的な実施形態において、ＵＥ１０２は、例えば以下で説明するように、例えば、ＷＬＡＮとＲＡＮ１１９との間でトラフィックを誘導するために、ＵＥの１以上のトラフィックオフロード機能を制御するオフロードモジュール１４５を含み得る。
【００７１】
いくつかの例示的な実施形態において、オフロードモジュール１４５は、オフロードモジュール１４５の機能の少なくとも一部を実行するよう構成され得る適切な回路（例えば、コントローラ回路、プロセッサ回路、メモリ回路、及び／又は任意の他の回路）を含んでもよいし、そのような適切な回路を使用して実装されてもよい。追加的又は代替的に、オフロードモジュール１４５の１以上の機能は、例えば以下で説明するように、マシン及び／又は１以上のプロセッサによって実行され得るロジックにより実装されてもよい。
【００７２】
いくつかの例示的な実施形態において、コントローラ１４５は、例えば以下で説明するように、例えば、ＲＡＮ１１９により提供された選択基準（「ＲＡＮ選択基準」）及び／又はＡＮＤＳＦサーバ１６２により提供された選択基準（「ＡＮＤＳＦ選択基準」）に基づいて、例えば、（例えばＲＡＮ１１９を介する）ＰＤＮ接続から（例えばＷＬＡＮ  ＡＰ１０６を介する）ＷＬＡＮ接続にトラフィックを誘導し、且つ／又はＷＬＡＮ接続からＰＤＮ接続に戻すように、トラフィック誘導を決定することができる。
【００７３】
いくつかの例示的な実施形態において、ＲＡＮ１１９は、ＲＡＮ選択基準をＵＥ１０２に提供することができる。例えば、セルラＴＲｘ１４６は、例えばｅＮＢ１０４から、無線リソース制御（ＲＲＣ）シグナリングを介して、且つ／又は任意の他のメッセージを介して、ＲＡＮ支援情報を受信することができる。
【００７４】
いくつかの例示的な実施形態において、ＲＡＮ選択基準は、支援情報（「ＲＡＮ支援情報」）を含み得る、又は支援情報（「ＲＡＮ支援情報」）の一部として含まれ得る。いくつかの例示的な実施形態において、ＲＡＮ選択基準は、１以上のＲＡＮ支援パラメータ、及び／又は、このようなＲＡＮ支援パラメータに対応する１以上の選択ルール（「ＲＡＮルール」）を含み得る。
【００７５】
いくつかの例示的な実施形態において、ＡＮＤＳＦサーバ１６２は、ＡＮＤＳＦ選択基準をＵＥ１０２に提供することができる。例えば、通信インタフェース１６４は、例えば以下で説明するように、ＡＮＤＳＦ選択基準を含むＡＮＤＳＦ  ＭＯ１６３をＵＥに送信することができる。ＵＥ１０２は、例えば、ＲＡＮ１１９を介して（例えばセルラＴＲｘ１４６を介して）且つ／又はＷＬＡＮを介して（例えばＷＬＡＮ  ＴＲｘ１４７を介して）、ＡＮＤＳＦ選択基準を含むＡＮＤＳＦ  ＭＯを受信することができる。
【００７６】
いくつかの例示的な実施形態において、ＡＮＤＳＦ選択基準は、支援情報（「ＡＮＤＳＦ支援情報」）を含み得る、又は支援情報（「ＡＮＤＳＦ支援情報」）の一部として含まれ得る。いくつかの例示的な実施形態において、ＡＮＤＳＦ選択基準は、例えば以下で説明するように、１以上のＡＮＤＳＦ支援パラメータ、及び／又は、このようなＡＮＤＳＦ支援パラメータに対応する１以上の選択ルール（「ＡＮＤＳＦルール」）を含み得る。
【００７７】
いくつかの例示的な実施形態において、ＡＮＤＳＦポリシーモジュール１６８は、ＵＥ１０２に対応する１以上のＡＮＤＳＦポリシーを含むＡＮＤＳＦ  ＭＯ１６３を決定することができる。ＡＮＤＳＦポリシーは、例えば以下で説明するように、ＡＮＤＳＦ支援情報、及び、ＲＡＮ１１９とＷＬＡＮ  ＡＰ１０６との間で選択するよう構成されている１以上のＡＮＤＳＦルールを含み得る。
【００７８】
いくつかの例示的な実施形態において、ＡＮＤＳＦ支援パラメータは、例えば、オフロード優先情報（offload  preference  information）を含み得る。例えば、オフロード優先情報は、例えばＲＡＮ１１９を介するセルラアクセスを介してネットワーク１８０にアクセスするのと、例えばＷＬＡＮ  ＡＰ１０６を介するＷＬＡＮアクセスを介してネットワーク１８０にアクセスするのと、の間の優先を示すオフロード優先インジケーションを含み得る。オフロード優先情報は、例えば、ＲＡＮ１１９のセルラ負荷に基づき得る、且つ／又は、通信事業者（operator）の負荷平衡及び／又はトラフィックオフロードのプリファレンスに基づき得る。オフロード優先情報は、例えば、ＵＥ１０２がＷＬＡＮへのオフロードを利用するのを通信事業者がどの程度「積極的に」可能にできるかを示すことができる。
【００７９】
いくつかの例示的な実施形態において、ＡＮＤＳＦ支援パラメータは、例えば以下で説明するように、例えば、１以上の信号強度閾値を含み得る。
【００８０】
いくつかの例示的な実施形態において、ＡＮＤＳＦ支援パラメータは、例えば、１以上のセルラ閾値（例えば、基準信号受信電力（ＲＳＲＰ：reference  signal  received  power）閾値、希望波受信電力（ＲＳＣＰ：received  signal  code  power）閾値、及び／又はＲＡＮ１１９に関連する任意の他の閾値を含む）を含み得る。
【００８１】
いくつかの例示的な実施形態において、ＡＮＤＳＦ支援パラメータは、例えば、１以上のＷＬＡＮ閾値（例えば、１以上のＷＬＡＮ信号強度閾値（例えば、１以上の受信信号強度インジケータ（ＲＳＳＩ：received  signal  strength  indicator）閾値）、１以上のＷＬＡＮ負荷閾値（例えば、ＢＳＳ負荷閾値）、バックホール帯域幅閾値、１以上のＷＬＡＮメトリック（例えば、利用可能な帯域幅及び／又は利用可能なスループット）などを含み得る。
【００８２】
いくつかの例示的な実施形態において、ＡＮＤＳＦ支援パラメータは、ＲＡＮ１１９及び／又はＷＬＡＮに対応する任意の他の追加的又は代替的な閾値、パラメータ、及び／又は支援情報を含んでもよい。
【００８３】
いくつかの例示的な実施形態において、ＡＮＤＳＦルールは、例えば、ＡＮＤＳＦ支援パラメータに基づいて（例えば、１以上の信号強度と信号強度閾値との比較に基づいて）、ＵＥ１０２がＷＬＡＮ又はＲＡＮ１１９へトラフィックをオフロードするのを選択することを可能にする１以上のルールを含み得る。
【００８４】
いくつかの例示的な実施形態において、ＡＮＤＳＦサーバ１６２は、ＲＡＮ１１９の状態に基づいて（例えば、ＲＡＮ１１９の負荷及び／又はＲＡＮ１１９の任意の他のパラメータに基づいて）、ＡＮＤＳＦ支援情報を決定することができる。
【００８５】
いくつかの例示的な実施形態において、ＡＮＤＳＦポリシーモジュール１６８は、例えば以下で説明するように、ＡＮＤＳＦ支援情報及び／又はＡＮＤＳＦルールを含む１以上のポリシー（例えば、システム間ルーティングポリシー（ＩＳＲＰ）、無線ローカルエリアネットワーク選択ポリシー（ＷＬＡＮＳＰ）、及び／又はシステム間モビリティポリシー（ＩＳＭＰ））を決定することができる。
【００８６】
いくつかの例示的な実施形態において、ＡＮＤＳＦポリシーモジュール１６８は、１以上のポリシーを含む少なくとも１つのＡＮＤＳＦ  ＭＯ１６３を生成することができ、通信インタフェース１６４は、ＡＮＤＳＦ  ＭＯ１６３をＵＥ１０２に送信することができる。
【００８７】
いくつかの例示的な実施形態において、ＷＬＡＮポリシーモジュール１６８は、例えば、ＲＡＮ１１９とＷＬＡＮとの間の優先を示すオフロード優先インジケーションを含む少なくとも１つのノード（例えば、ポリシーノード）を含むようにＡＮＤＳＦ  ＭＯ１６３を決定することができる。
【００８８】
いくつかの例示的な実施形態において、ＷＬＡＮポリシーモジュール１６８は、１以上の閾値を含む少なくとも１つのノード（例えば、ポリシーノード）を含むようにＡＮＤＳＦ  ＭＯ１６３を決定することができる。ポリシーノードは、例えば上述したように、例えば、ＲＡＮ支援パラメータ又はＷＬＡＮ支援パラメータに基づいて、有効性条件（validity  condition）を決定することができる。
【００８９】
一例において、ＡＮＤＳＦ  ＭＯ１６３は、１以上のＷＬＡＮ閾値（「ＡＮＤＳＦ  ＷＬＡＮ閾値」）を含むポリシーノードを含み得る。ＡＮＤＳＦ  ＷＬＡＮ閾値は、例えば、１以上のＷＬＡＮ信号強度閾値、ＢＳＳ負荷閾値、及び／又はＷＬＡＮ  ＡＰ１０６に対応する任意の他の閾値を含み得る。
【００９０】
別の例において、ＡＮＤＳＦ  ＭＯ１６３は、１以上のセルラ閾値（「ＡＮＤＳＦセルラ閾値」）を含むポリシーノードを含み得る。ＡＮＤＳＦセルラ閾値は、例えば、１以上のセルラ信号強度閾値（例えば、ＲＳＲＰ閾値、ＲＳＣＰ閾値）、及び／又はＲＡＮ１１９に対応する任意の他の閾値を含み得る。
【００９１】
いくつかの例示的な実施形態において、ＡＮＤＳＦ  ＭＯを介してＡＮＤＳＦ支援情報をＵＥ１０２に提供することは、例えば、ＲＡＮ１１９とＷＬＡＮとの間の負荷平衡の効率化及び／又は改善を可能にし得、且つ／又は、例えば、ＲＡＮ１１９及びＷＬＡＮの両方を使用する場合のＵＥ１０２のユーザの体験品質（ＱｏＥ：quality  of  experience）の向上を可能にし得る。
【００９２】
いくつかの例示的な実施形態において、ＣＮ１６０の通信事業者は、ＡＮＤＳＦ  ＭＯ１６３を利用して、例えばＲＡＮ１１９の状態に基づいて、異なるトラフィック誘導ポリシーを適用することができる。一例において、通信事業者は、ＡＮＤＳＦサーバ１６２を制御して、例えば、ｅＮＢ１０４が非常に過負荷である場合には第１のＷＬＡＮネットワークを優先し、且つ、例えば、ｅＮＢ１０４に負荷がかかっていない場合には第２のＷＬＡＮネットワークを優先するように、例えばオフロード優先インジケータを用いて構成されたＡＮＤＳＦ  ＭＯ１６３を、ＵＥ１０２に提供することができる。追加的又は代替的に、通信事業者は、例えば、信号強度閾値のうちの１以上を調整することにより、セルの中心又はセルのエッジにあるＵＥ１０２に異なるポリシーを適用してもよい。一例において、通信事業者は、強いセルラ信号を有するＵＥ（例えば、セルの中心にあるＵＥ）については、１以上の第１のＷＬＡＮネットワークを優先し、弱いセルラ信号を有するＵＥ（例えば、セルのエッジにあるＵＥ）については、１以上の第２のＷＬＡＮネットワークを優先することができる。
【００９３】
いくつかの例示的な実施形態において、ＡＮＤＳＦサーバ１６２は、例えば、ＡＮＤＳＦ選択基準及びＲＡＮ選択基準の共存を可能にするために、且つ／又は、例えば、ＵＥ１０２がＲＡＮ選択基準及びＡＮＤＳＦ選択基準の両方を受信した場合にはＲＡＮ選択基準とＡＮＤＳＦ選択基準との間の可能性のある競合（conflict）を解決するために、ＡＮＤＳＦ選択基準とＲＡＮ選択基準との間の優先をＵＥ１０２に示すよう構成され得る。
【００９４】
一例において、ＡＮＤＳＦサーバ１６２は、例えば、ＣＮ１６０の通信事業者によってＡＮＤＳＦルール及びＲＡＮルールの両方がデプロイされた場合の可能性のある競合を解決するために、ＡＮＤＳＦルールとＲＡＮルールとの間の優先をＵＥ１０２に示すよう構成され得る。
【００９５】
いくつかの例示的な実施形態において、ＡＮＤＳＦポリシーモジュール１６８は、ＲＡＮ１１９により提供されたＲＡＮ選択基準とＡＮＤＳＦサーバ１６２により提供されたＡＮＤＳＦ選択基準との間の優先を示す優先インジケータをＡＮＤＳＦ  ＭＯ１６３に含めることができる。
【００９６】
いくつかの例示的な実施形態において、優先インジケータは、ＲＡＮ１１９により定められたＲＡＮポリシーとＡＮＤＳＦサーバ１６２により定められたＡＮＤＳＦポリシーとの間の優先を示すよう構成されることもあるし、ＲＡＮ１１９により定められたＲＡＮルールとＡＮＤＳＦサーバ１６２により定められたＡＮＤＳＦルールとの間の優先を示すよう構成されることもあるし、ＲＡＮ１１９により定められたＲＡＮ閾値とＡＮＤＳＦサーバ１６２により定められたＡＮＤＳＦ閾値との間の優先を示すよう構成されることもあるし、ＲＡＮ１１９により定められたＲＡＮ支援パラメータとＡＮＤＳＦサーバ１６２により定められたＡＮＤＳＦ支援パラメータとの間の優先を示すよう構成されることもあるし、且つ／又は、ＲＡＮ１１９により定められたＲＡＮ選択基準とＡＮＤＳＦサーバ１６２により定められたＡＮＤＳＦ選択基準との間の優先を示すよう構成されることもある。
【００９７】
いくつかの例示的な実施形態において、優先インジケータは、ＡＮＤＳＦ選択基準が優先されることを示す第１の値（例えば、「０」）、又は、ＲＡＮ選択基準が優先されることを示す第２の値（例えば、「１」）を有することができる。
【００９８】
いくつかの例示的な実施形態において、優先インジケータは、例えば以下で説明するように、ＡＮＤＳＦ  ＭＯ内のサブオブジェクト及び／又は優先ノードの一部として含まれ得る。
【００９９】
いくつかの例示的な実施形態において、ＡＮＤＳＦ  ＭＯ１６３は、例えば以下で示されるように、優先フラグを含み得る。
【０１００】
他の実施形態において、優先インジケータは、ＡＮＤＳＦ  ＭＯ１６３の任意の他のフィールド、要素、値、及び／又はノードの一部として、又は任意の他の態様で実装され得る。一例において、優先インジケータは、汎用加入者識別モジュール（ＵＳＩＭ：universal  subscriber  identity  module）又はモバイル機器（ＭＥ：mobile  equipment）に含められ得る。
【０１０１】
いくつかの例示的な実施形態において、オフロードモジュール１４５は、ＡＮＤＳＦサーバ１６２から、例えば、コアネットワーク、ＲＡＮ１１９、及び／又はＷＬＡＮ  ＡＰ１０６を介して、ＡＮＤＳＦ  ＭＯ１６３を受信することができる。
【０１０２】
いくつかの例示的な実施形態において、オフロードモジュール１４５は、例えば、ＡＮＤＳＦサーバから、ＡＮＤＳＦ選択基準を受信し、例えば、ＲＡＮ１１９から、ＲＡＮ選択基準を受信することができる。
【０１０３】
いくつかの例示的な実施形態において、ＡＮＤＳＦ  ＭＯ１６３は、優先される選択基準がＲＡＮ選択基準又はＡＮＤＳＦ選択基準のいずれであるかを示す優先インジケータを含み得る。
【０１０４】
いくつかの例示的な実施形態において、オフロードモジュール１４５は、例えば、ＡＮＤＳＦ  ＭＯ１６３により示される優先される選択基準（例えば、ＡＮＤＳＦ選択基準又はＲＡＮ選択基準）に基づいて、ＷＬＡＮ  ＡＰ１０６とＲＡＮ１１９との間で、ＵＥ１０２のトラフィックをオフロードすることができる。
【０１０５】
いくつかの例示的な実施形態において、オフロードモジュール１４５は、例えば、ＲＡＮ１１９により定められたＲＡＮ  ＷＬＡＮ閾値、及び、例えば、ＡＮＤＳＦサーバ１６２により定められたＡＮＤＳＦ  ＷＬＡＮ閾値を受信することができる。
【０１０６】
いくつかの例示的な実施形態において、オフロードモジュール１４５は、例えば、ＲＡＮ選択基準が優先されることを優先インジケータが示している場合には、ＲＡＮ  ＷＬＡＮ閾値を使用することを選択することができる。
【０１０７】
いくつかの例示的な実施形態において、オフロードモジュール１４５は、例えば、ＡＮＤＳＦ選択基準が優先されることを優先インジケータが示している場合には、ＡＮＤＳＦ  ＷＬＡＮ閾値を使用することを選択することができる。
【０１０８】
いくつかの例示的な実施形態において、ＡＮＤＳＦ  ＭＯ１６３は、例えば上述したように、セルラネットワークとＷＬＡＮとの間の優先を示すオフロード優先インジケーションを含み得る。これらの実施形態に従うと、オフロードモジュール１４５は、例えば、オフロード優先インジケーションに基づいて、ＵＥ１０２のトラフィックをオフロードすることを選択することができる。
【０１０９】
図２は、いくつかの例示的な実施形態に従った、ＡＮＤＳＦ  ＭＯのユーザプロファイルノードサブオブジェクト２００の概略図である。例えば、ユーザプロファイルノードサブオブジェクト２００は、ＡＮＤＳＦ  ＭＯ１６３（図１）の一部として含まれ得る。
【０１１０】
いくつかの例示的な実施形態において、ユーザプロファイルノードサブオブジェクト２００は、ＲＡＮ選択基準とＡＮＤＳＦ選択基準との間の優先を示す優先ノード（「ＲｕｌｅＰｒｅｆｅｒｅｎｃｅ」）２１０を含み得る。
【０１１１】
いくつかの例示的な実施形態において、優先ノード２１０は、ＡＮＤＳＦルール（例えば、１以上のＡＮＤＳＦ  ＷＬＡＮ閾値）が優先されることを示す第１の値（例えば、「０」）、又は、ＲＡＮルール（例えば、１以上のＲＡＮ  ＷＬＡＮ閾値）が優先されることを示す第２の値（例えば、「１」）を有することができる。
【０１１２】
図３は、いくつかの例示的な実施形態に従った、ＡＮＤＳＦ  ＭＯのシステム間ルーティングポリシー（ＩＳＲＰ）ノード３００の概略図である。例えば、ＡＮＤＳＦサーバ１６２（図１）は、ＩＳＲＰノード３００を含むＡＮＤＳＦ  ＭＯ１６３（図１）をＵＥ１０２（図１）に送信することができる。
【０１１３】
いくつかの例示的な実施形態において、ＩＳＲＰノード３００は、例えば以下で説明するように、ＡＮＤＳＦ支援情報及び／又はＡＮＤＳＦルールを含み得る。
【０１１４】
いくつかの例示的な実施形態において、ＩＳＲＰノード３００は、ＵＥ（例えば、図１のＵＥ１０２）に提供されるＲＡＮパラメータ（例えば、ＡＮＤＳＦ支援パラメータ）を含むためのブランチ（「ＲＡＮＰａｒａｍｅｔｅｒｓ」）３０２を含み得る。
【０１１５】
いくつかの例示的な実施形態において、ブランチ３０２は、特定のルール（例えば、ＦｏｒＦｌｏｗｂａｓｅｄノード及び／又はＦｏｒＮｏｎＳｅａｍｌｅｓｓＯｆｆｌｏａｄノード）に関するＲＡＮパラメータ条件のプレースホルダとして機能することができる。一例において、ブランチ３０２は、例えば以下のように定義され得る：
＜Ｘ＞／Ｐｏｌｉｃｙ／＜Ｘ＞／ＲＡＮＰａｒａｍｅｔｅｒｓ
ＲＡＮＰａｒａｍｅｔｅｒｓノードは、特定のルールに関するＲＡＮパラメータ条件のプレースホルダとして機能する。
−発生：ＺｅｒｏＯｒＯｎｅ（０又は１）
−フォーマット：ノード
−アクセスタイプ：Ｇｅｔ（取得）、Ｒｅｐｌａｃｅ（置換）
−値：Ｎ／Ａ
【０１１６】
いくつかの例示的な実施形態において、ブランチ３０２は、ＷＬＡＮアクセス又はセルラアクセスのどちらが優先されるかを示すオフロード優先インジケータ（「ＯｆｆｌｏａｄＰｒｅｆｅｒｅｎｃｅ」）ノード３０４を含み得る。例えば上述したように、例えば、ノード３０４は、オフロード優先インジケータを含み得る。一例において、ノード３０４は、例えば以下のように定義され得る：
＜Ｘ＞／Ｐｏｌｉｃｙ／＜Ｘ＞／ＲＡＮＰａｒａｍｅｔｅｒｓ／Ｏｆｆｌｏａｄ＿Ｐｒｅｆｅｒｅｎｃｅ
Ｏｆｆｌｏａｄ＿Ｐｒｅｆｅｒｅｎｃｅノードは、３ＧＰＰからＷＬＡＮへのオフロード優先閾値のプレースホルダとして機能する。
−発生：ＺｅｒｏＯｒＯｎｅ（０又は１）
−フォーマット：ノード
−アクセスタイプ：Ｇｅｔ（取得）、Ｒｅｐｌａｃｅ（置換）
−値：Ｎ／Ａ
ＯｆｆｌｏａｄＰｒｅｆｅｒｅｎｃｅは、３ＧＰＰ無線アクセスネットワークに対する負荷と、場合によっては他のパラメータ又は通信事業者のプリファレンスと、に基づいて、３ＧＰＰアクセス又はＷＬＡＮアクセスのいずれが優先されるかを示す。
【０１１７】
いくつかの例示的な実施形態において、ブランチ３０２は、１以上のセルラ閾値を示すセルラ閾値（「ＣｅｌｌｕｌａｒＳｉｇｎａｌＳｔｒｅｎｇｈ」）ノード３０６を含み得る。例えば上述したように、例えば、ノード３０６は、ＡＮＤＳＦセルラ閾値を含み得る。一例において、ノード３０６は、例えば以下のように定義され得る：
＜Ｘ＞／Ｐｏｌｉｃｙ／＜Ｘ＞／ＲＡＮＰａｒａｍｅｔｅｒｓ／Ｃｅｌｌｕｌａｒ＿Ｓｉｇｎａｌ＿Ｓｔｒｅｎｇｔｈ＿Ｔｈｒｅｓｈｏｌｄ
Ｃｅｌｌｕｌａｒ＿Ｓｉｇｎａｌ＿Ｓｔｒｅｎｇｔｈ＿Ｔｈｒｅｓｈｏｌｄノードは、セルラ信号強度閾値（例えば、ＲＳＲＰ閾値又はＲＳＣＰ閾値）のプレースホルダとして機能する。
−発生：ＺｅｒｏＯｒＯｎｅ（０又は１）
−フォーマット：ノード
−アクセスタイプ：Ｇｅｔ（取得）、Ｒｅｐｌａｃｅ（置換）
−値：Ｎ／Ａ
ＵＥにより測定されたセルラ信号強度が、このノード内に提供されている閾値よりも高い場合、ＵＥは、ＥＰＣに接続するために、３ＧＰＰアクセスを優先することになる。
注記：このノード内に提供される値は、デフォルト値であり、ＲＡＮにより提供される新たな（セル固有の）閾値により上書きされ得る。
【０１１８】
いくつかの例示的な実施形態において、ブランチ３０２は、１以上のＷＬＡＮ閾値を示すＷＬＡＮ閾値（「ＷＬＡＮＳｉｇｎａｌＳｔｒｅｎｇｔｈ」）ノード３０８を含み得る。例えば上述したように、例えば、ノード３０８は、ＡＮＤＳＦ  ＷＬＡＮ閾値を含み得る。一例において、ノード３０８は、例えば以下のように定義され得る：
＜Ｘ＞／Ｐｏｌｉｃｙ／＜Ｘ＞／ＲＡＮＰａｒａｍｅｔｅｒｓ／ＷＬＡＮ＿Ｓｉｇｎａｌ＿Ｓｔｒｅｎｇｔｈ＿Ｔｈｒｅｓｈｏｌｄ
ＷＬＡＮ＿Ｓｉｇｎａｌ＿Ｓｔｒｅｎｇｔｈ＿Ｔｈｒｅｓｈｏｌｄノードは、ＷＬＡＮ信号強度閾値（例えば、ＲＳＳＩ閾値）のプレースホルダとして機能する。
−発生：ＺｅｒｏＯｒＯｎｅ（０又は１）
−フォーマット：ノード
−アクセスタイプ：Ｇｅｔ（取得）、Ｒｅｐｌａｃｅ（置換）
−値：Ｎ／Ａ
ＵＥにより測定された信号強度が、このノード内に提供されている閾値よりも高い場合、ＵＥは、対応するルールを有効と見なすことになる。
【０１１９】
図４は、いくつかの例示的な実施形態に従った、ＡＮＤＳＦ  ＭＯの無線ローカルエリアネットワーク選択ポリシー（ＷＬＡＮＳＰ）ノード４００の概略図である。例えば、ＡＮＤＳＦサーバ１６２（図１）は、ＷＬＡＮＳＰノード４００を含むＡＮＤＳＦ  ＭＯ１６３（図１）をＵＥ１０２（図１）に送信することができる。
【０１２０】
いくつかの例示的な実施形態において、ＷＬＡＮＳＰノード４００は、例えば以下で説明するように、ＡＮＤＳＦ支援情報及び／又はＡＮＤＳＦルールを含み得る。
【０１２１】
いくつかの例示的な実施形態において、ＷＬＡＮＳＰノード４００は、ＵＥ（例えば、図１のＵＥ１０２）に提供されるＲＡＮパラメータ（例えば、ＡＮＤＳＦ支援パラメータ）を含み得る。例えば、ＷＬＡＮＳＰノード４００は、ＳｅｌｅｃｔｉｏｎＣｒｉｔｅｒｉａノード４０２の一部としてＲＡＮパラメータを含み得る。
【０１２２】
いくつかの例示的な実施形態において、ノード４０２は、ＷＬＡＮアクセス又はセルラアクセスのどちらが優先されるかを示すオフロード優先インジケータ（「ＯｆｆｌｏａｄＰｒｅｆｅｒｅｎｃｅ」）ノード４０４を含み得る。例えば上述したように、例えば、ノード４０４は、オフロード優先インジケータを含み得る。一例において、ノード４０４は、例えば上述したようなノード３０４（図３）を含み得る。
【０１２３】
いくつかの例示的な実施形態において、ノード４０２は、１以上のセルラ閾値を示すセルラ閾値（「ＣｅｌｌｕｌａｒＳｉｇｎａｌＳｔｒｅｎｇｈ」）ノード４０６を含み得る。例えば上述したように、例えば、ノード４０６は、ＡＮＤＳＦセルラ閾値を含み得る。一例において、ノード４０６は、例えば上述したようなノード３０６（図３）を含み得る。
【０１２４】
いくつかの例示的な実施形態において、ノード４０２は、１以上のＷＬＡＮ閾値を示すＷＬＡＮ閾値（「ＷＬＡＮＳｉｇｎａｌＳｔｒｅｎｇｔｈ」）ノード４０８を含み得る。例えば上述したように、例えば、ノード４０８は、ＡＮＤＳＦ  ＷＬＡＮ閾値を含み得る。一例において、ノード４０８は、例えば上述したようなノード３０８（図３）を含み得る。
【０１２５】
図５は、いくつかの例示的な実施形態に従った、ＡＮＤＳＦ  ＭＯのシステム間モビリティポリシー（ＩＳＭＰ）ノード５００の概略図である。例えば、ＡＮＤＳＦサーバ１６２（図１）は、ＩＳＭＰノード５００を含むＡＮＤＳＦ  ＭＯ１６３（図１）をＵＥ１０２（図１）に送信することができる。
【０１２６】
いくつかの例示的な実施形態において、ＩＳＭＰノード５００は、例えば以下で説明するように、ＡＮＤＳＦ支援情報及び／又はＡＮＤＳＦルールを含み得る。
【０１２７】
いくつかの例示的な実施形態において、ＩＳＭＰノード５００は、ＵＥ（例えば、図１のＵＥ１０２）に提供されるＲＡＮパラメータ（例えば、ＡＮＤＳＦ支援パラメータ）を含むためのブランチ（「ＲＡＮＰａｒａｍｅｔｅｒｓ」）５０２を含み得る。例えば、ブランチ５０２は、例えば上述したようなブランチ３０２（図３）を含み得る。
【０１２８】
いくつかの例示的な実施形態において、ブランチ５０２は、ＷＬＡＮアクセス又はセルラアクセスのどちらが優先されるかを示すオフロード優先インジケータ（「ＯｆｆｌｏａｄＰｒｅｆｅｒｅｎｃｅ」）ノード５０４を含み得る。例えば上述したように、例えば、ノード５０４は、オフロード優先インジケータを含み得る。一例において、ノード５０４は、例えば上述したようなノード３０４（図３）を含み得る。
【０１２９】
いくつかの例示的な実施形態において、ブランチ５０２は、１以上のセルラ閾値を示すセルラ閾値（「ＣｅｌｌｕｌａｒＳｉｇｎａｌＳｔｒｅｎｇｈ」）ノード５０６を含み得る。例えば上述したように、例えば、ノード５０６は、ＡＮＤＳＦセルラ閾値を含み得る。一例において、ノード５０６は、例えば上述したようなノード３０６（図３）を含み得る。
【０１３０】
いくつかの例示的な実施形態において、ブランチ５０２は、１以上のＷＬＡＮ閾値を示すＷＬＡＮ閾値（「ＷＬＡＮＳｉｇｎａｌＳｔｒｅｎｇｔｈ」）ノード５０８を含み得る。例えば上述したように、例えば、ノード５０８は、ＡＮＤＳＦ  ＷＬＡＮ閾値を含み得る。一例において、ノード５０８は、例えば上述したようなノード３０８（図３）を含み得る。
【０１３１】
図６は、いくつかの例示的な実施形態に従った、ＡＮＤＳＦ  ＭＯを使用してトラフィックをオフロードする方法の概略フローチャートである。いくつかの実施形態において、図５の方法の動作のうちの１以上は、無線通信システム（例えば、図１のシステム１００）、ＵＥ（例えば、図１のＵＥ１０２）、ＡＮＤＳＦサーバ（例えば、図１のＡＮＤＳＦサーバ１６２）、ＡＮＤＳＦポリシーモジュール（例えば、図１のＡＮＤＳＦポリシーモジュール１６８）、及び／又はオフロードモジュール（例えば、図１のオフロードモジュール１４５）により実行され得る。
【０１３２】
ブロック６０２に示されるように、この方法は、少なくともＡＮＤＳＦポリシーを含むＡＮＤＳＦ  ＭＯを処理することを含み得る。このＡＮＤＳＦポリシーは、ＡＮＤＳＦ選択基準、及び、ＡＮＤＳＦ選択基準とＲＡＮ選択基準との間の優先を示す優先インジケータを含む。一例において、ＡＮＤＳＦポリシーモジュール１６８（図１）は、例えば上述したように、ＡＮＤＳＦ  ＭＯ１６３（図１）を処理することができる。別の例において、オフロードモジュール１４５（図１）は、例えば上述したように、ＡＮＤＳＦサーバ１６２（図１）からのＡＮＤＳＦ  ＭＯ１６３（図１）を処理することができる。
【０１３３】
いくつかの例示的な実施形態において、この方法は、ブロック６０４に示されるように、ＡＮＤＳＦ  ＭＯを生成することと、ブロック６０６に示されるように、ＡＮＤＳＦ  ＭＯをＵＥに送信することと、を含み得る。例えば上述したように、例えば、ＡＮＤＳＦポリシーモジュール１６８（図１）は、ＡＮＤＳＦ  ＭＯ１６３（図１）を決定することができ、通信インタフェース１６４（図１）は、ＡＮＤＳＦ  ＭＯ１６３をＵＥ１０２（図１）に送信することができる。
【０１３４】
いくつかの例示的な実施形態において、この方法は、ブロック６０８に示されるように、ＵＥにおいてＡＮＤＳＦ  ＭＯを受信することと、優先インジケータにより示される優先される選択基準に従って、ＵＥのトラフィックをオフロードすることと、を含み得る。例えば上述したように、例えば、ＵＥ１０２（図１）は、ＡＮＤＳＦサーバ１６２（図１）から、ＡＮＤＳＦ  ＭＯ１６３（図１）を受信することができ、オフロードモジュール１４５（図１）は、優先インジケータに基づいて、ＡＮＤＳＦ選択基準又はＲＡＮ選択基準に従って、ＵＥ１０２（図１）のトラフィックをオフロードすることを選択することができる。
【０１３５】
図７を参照すると、図７は、いくつかの例示的な実施形態に従った製品７００を概略的に示している。製品７００は、ロジック７０４を記憶する非一時的なマシン読み取り可能な記憶媒体７０２を含み得る。ロジック７０４は、例えば、ＵＥ１０２（図１）、ｅＮＢ１０４（図１）、ノードＢ１９６（図１）、ＡＮＤＳＦサーバ１６２（図１）、オフロードモジュール１４５（図１）、及び／又はＡＮＤＳＦポリシーモジュール１６８（図１）の機能の少なくとも一部を実行するために、且つ／又は、図６の方法の１以上の動作を実行するために、使用され得る。「非一時的なマシン読み取り可能な媒体」という語句は、一時的な伝搬信号のみを除くすべてのコンピュータ読み取り可能な媒体を含むことを指している。
【０１３６】
いくつかの例示的な実施形態において、製品７００及び／又はマシン読み取り可能な記憶媒体７０２は、データを記憶することができる１以上のタイプのコンピュータ読み取り可能な記憶媒体（揮発性メモリ、不揮発性メモリ、取り外し可能なメモリ又は取り外し不可能なメモリ、消去可能なメモリ又は消去不可能なメモリ、書き込み可能なメモリ又は再書き込み可能なメモリなどを含む）を含み得る。例えば、マシン読み取り可能な記憶媒体７０２は、ＲＡＭ、ＤＲＡＭ、ダブルデータレートＤＲＡＭ（ＤＤＲ−ＤＲＡＭ：double-data-rate  DRAM）、ＳＤＲＡＭ、スタティックＲＡＭ（ＳＲＡＭ：static  RAM）、ＲＯＭ、プログラム可能なＲＯＭ（ＰＲＯＭ：programmable  ROM）、消去可能なプログラム可能なＲＯＭ（ＥＰＲＯＭ：erasable  programmable  ROM）、電気的に消去可能なプログラム可能なＲＯＭ（ＥＥＰＲＯＭ：electrically  erasable  programmable  ROM）、コンパクトディスクＲＯＭ（ＣＤ−ＲＯＭ：compact  disc  ROM）、コンパクトディスクレコーダブル（ＣＤ−Ｒ：compact  disc  recordable）、コンパクトディスクリライタブル（ＣＤ−ＲＷ：compact  disc  rewriteable）、フラッシュメモリ（例えば、ＮＯＲ型フラッシュメモリやＮＡＮＤ型フラッシュメモリ）、連想メモリ（ＣＡＭ：content  addressable  memory）、高分子メモリ、相変化メモリ、強誘電体メモリ、ＳＯＮＯＳ（silicon-oxide-nitride-oxide-silicon）メモリ、ディスク、フロッピディスク、ハードドライブ、光ディスク、磁気ディスク、カード、磁気カード、光カード、テープ、カセットなどを含み得る。コンピュータ読み取り可能な記憶媒体は、リモートコンピュータから要求元コンピュータへのコンピュータプログラムのダウンロード又は転送に関連する任意の適切な媒体を含み得る。このようなコンピュータプログラムは、通信リンク（例えば、モデム接続、無線接続、又はネットワーク接続）を介して、搬送波又は他の伝搬媒体内に具現化されたデータ信号により伝達される。
【０１３７】
いくつかの例示的な実施形態において、ロジック７０４は、マシンにより実行された場合に、本明細書に記載の方法、処理、及び／又は動作をマシンに実行させることができる命令、データ、及び／又はコードを含み得る。マシンは、例えば、任意の適切な処理プラットフォーム、コンピューティングプラットフォーム、コンピューティングデバイス、処理デバイス、コンピューティングシステム、処理システム、コンピュータ、プロセッサなどを含み得、ハードウェア、ソフトウェア、ファームウェアなどの任意の適切な組合せを使用して実装され得る。
【０１３８】
いくつかの例示的な実施形態において、ロジック７０４は、ソフトウェア、ソフトウェアモジュール、アプリケーション、プログラム、サブルーチン、命令、命令セット、コンピューティングコード、ワード、値、シンボルなどを含み得る、又はこれらとして実装され得る。命令は、任意の適切なタイプのコード（ソースコード、コンパイル済みコード、解釈済みコード、実行可能なコード、静的コード、動的コードなど）を含み得る。命令は、所定の機能を実行するようにプロセッサに命令するために、事前に定義されたコンピュータ言語、方式、又は構文に従って実装され得る。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ（登録商標）、アセンブリ言語、マシン語などといった任意の適切な高水準プログラミング言語、低水準プログラミング言語、オブジェクト指向プログラミング言語、視覚的プログラミング言語、コンパイル型プログラミング言語、及び／又はインタプリタ型プログラミング言語を使用して実装され得る。
【０１３９】
例
以下の例は、さらなる実施形態に関連している。
【０１４０】
例１は、無線ローカルエリアネットワーク（ＷＬＡＮ）と通信するためのＷＬＡＮトランシーバと、セルラネットワークと通信するためのセルラトランシーバと、ＷＬＡＮとセルラネットワークとの間でＵＥのトラフィックをオフロードするオフロードモジュールであって、優先される選択基準が、セルラネットワークにより提供された無線アクセスネットワーク（ＲＡＮ）選択基準又はアクセスネットワーク発見選択機能（ＡＮＤＳＦ）サーバにより提供されたＡＮＤＳＦ選択基準のいずれであるかを示す優先インジケータを含むＡＮＤＳＦ管理オブジェクト（ＭＯ）を受信し、優先される選択基準に従ってトラフィックをオフロードするオフロードモジュールと、を備えたユーザ機器（ＵＥ）を含む。
【０１４１】
例２は、例１の主題を含み、任意的に、ＲＡＮ選択基準は、１以上のＲＡＮ  ＷＬＡＮ閾値を含み、ＡＮＤＳＦ選択基準は、１以上のＡＮＤＳＦ  ＷＬＡＮ閾値を含む。
【０１４２】
例３は、例２の主題を含み、任意的に、オフロードモジュールは、ＲＡＮ選択基準が優先されることを優先インジケータが示している場合、ＲＡＮ  ＷＬＡＮ閾値を使用し、ＡＮＤＳＦ選択基準が優先されることを優先インジケータが示している場合、ＡＮＤＳＦ  ＷＬＡＮ閾値を使用する。
【０１４３】
例４は、例２又は３の主題を含み、任意的に、ＡＮＤＳＦ  ＭＯは、１以上のＡＮＤＳＦ  ＷＬＡＮ閾値を含む。
【０１４４】
例５は、例２〜４のうちのいずれか１つの主題を含み、任意的に、１以上のＡＮＤＳＦ  ＷＬＡＮ閾値は、少なくとも１つのＷＬＡＮ信号強度閾値を含む。
【０１４５】
例６は、例１〜５のうちのいずれか１つの主題を含み、任意的に、ＡＮＤＳＦ  ＭＯは、セルラネットワークとＷＬＡＮとの間の優先を示すオフロード優先インジケーションを含み、オフロードモジュールは、オフロード優先インジケーションに基づいてトラフィックをオフロードする。
【０１４６】
例７は、例１〜６のうちのいずれか１つの主題を含み、任意的に、ＡＮＤＳＦ  ＭＯは、１以上のセルラ閾値を含む。
【０１４７】
例８は、例７の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０１４８】
例９は、例１〜８のうちのいずれか１つの主題を含み、任意的に、ＡＮＤＳＦ  ＭＯは、システム間ルーティングポリシー（ＩＳＲＰ）を含む。
【０１４９】
例１０は、例１〜９のうちのいずれか１つの主題を含み、任意的に、ＡＮＤＳＦ  ＭＯは、ＷＬＡＮ選択ポリシー（ＷＬＡＮＳＰ）を含む。
【０１５０】
例１１は、例１〜１０のうちのいずれか１つの主題を含み、任意的に、１以上のアンテナ、メモリ、及びプロセッサを備える。
【０１５１】
例１２は、１以上のアクセスネットワーク発見選択機能（ＡＮＤＳＦ）ポリシーを含むＡＮＤＳＦ管理オブジェクト（ＭＯ）であって、セルラネットワークにより提供された無線アクセスネットワーク（ＲＡＮ）選択基準とＡＮＤＳＦサーバにより提供されたＡＮＤＳＦ選択基準との間の優先を示す優先インジケータを含むＡＮＤＳＦ  ＭＯを決定するＡＮＤＳＦポリシーモジュールと、ＡＮＤＳＦ  ＭＯをユーザ機器（ＵＥ）に送信する通信インタフェースと、を備えたＡＮＤＳＦサーバを含む。
【０１５２】
例１３は、例１２の主題を含み、任意的に、優先インジケータは、ＲＡＮ選択基準が優先されることを示す予め定められた第１の値又はＡＮＤＳＦ選択基準が優先されることを示す予め定められた第２の値を有する。
【０１５３】
例１４は、例１２又は１３の主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０１５４】
例１５は、例１４の主題を含み、任意的に、１以上のＡＮＤＳＦポリシーは、１以上のＡＮＤＳＦ  ＷＬＡＮ閾値を含む。
【０１５５】
例１６は、例１４又は１５の主題を含み、任意的に、１以上のＡＮＤＳＦ  ＷＬＡＮ閾値は、少なくとも１つのＷＬＡＮ信号強度閾値を含む。
【０１５６】
例１７は、例１２〜１６のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０１５７】
例１８は、例１２〜１７のうちのいずれか１つの主題を含み、任意的に、１以上のＡＮＤＳＦポリシーは、１以上のセルラ閾値を含む。
【０１５８】
例１９は、例１８の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０１５９】
例２０は、例１２〜１９のうちのいずれか１つの主題を含み、任意的に、１以上のＡＮＤＳＦポリシーは、システム間ルーティングポリシー（ＩＳＲＰ）を含む。
【０１６０】
例２１は、例１２〜２０のうちのいずれか１つの主題を含み、任意的に、１以上のＡＮＤＳＦポリシーは、ＷＬＡＮ選択ポリシー（ＷＬＡＮＳＰ）を含む。
【０１６１】
例２２は、例１２〜２１のうちのいずれか１つの主題を含み、任意的に、メモリ及びプロセッサを備える。
【０１６２】
例２３は、ユーザ機器（ＵＥ）において実行される方法であって、優先インジケータを含むアクセスネットワーク発見選択機能（ＡＮＤＳＦ）管理オブジェクト（ＭＯ）を受信するステップと、優先インジケータに基づいて、セルラネットワークにより提供された無線アクセスネットワーク（ＲＡＮ）選択基準とＡＮＤＳＦサーバにより提供されたＡＮＤＳＦ選択基準との間で選択することにより、優先される選択基準を決定するステップと、優先される選択基準に従って、無線ローカルエリアネットワーク（ＷＬＡＮ）とセルラネットワークとの間でＵＥのトラフィックをオフロードするステップと、を含む方法を含む。
【０１６３】
例２４は、例２３の主題を含み、任意的に、ＲＡＮ選択基準は、１以上のＲＡＮ  ＷＬＡＮ閾値を含み、ＡＮＤＳＦ選択基準は、１以上のＡＮＤＳＦ  ＷＬＡＮ閾値を含む。
【０１６４】
例２５は、例２４の主題を含み、任意的に、ＲＡＮ選択基準が優先されることを優先インジケータが示している場合、ＲＡＮ  ＷＬＡＮ閾値に従ってトラフィックをオフロードし、ＡＮＤＳＦ選択基準が優先されることを優先インジケータが示している場合、ＡＮＤＳＦ  ＷＬＡＮ閾値に従ってトラフィックをオフロードするステップを含む。
【０１６５】
例２６は、例２４又は２５の主題を含み、任意的に、ＡＮＤＳＦ  ＭＯは、１以上のＡＮＤＳＦ  ＷＬＡＮ閾値を含む。
【０１６６】
例２７は、例２４〜２６のうちのいずれか１つの主題を含み、任意的に、１以上のＡＮＤＳＦ  ＷＬＡＮ閾値は、少なくとも１つのＷＬＡＮ信号強度閾値を含む。
【０１６７】
例２８は、例２３〜２７のうちのいずれか１つの主題を含み、任意的に、ＡＮＤＳＦ  ＭＯは、セルラネットワークとＷＬＡＮとの間の優先を示すオフロード優先インジケーションを含み、トラフィックをオフロードすることは、オフロード優先インジケーションに基づいてトラフィックをオフロードすることを含む。
【０１６８】
例２９は、例２３〜２８のうちのいずれか１つの主題を含み、任意的に、ＡＮＤＳＦ  ＭＯは、１以上のセルラ閾値を含む。
【０１６９】
例３０は、例２９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０１７０】
例３１は、例２３〜３０のうちのいずれか１つの主題を含み、任意的に、ＡＮＤＳＦ  ＭＯは、システム間ルーティングポリシー（ＩＳＲＰ）を含む。
【０１７１】
例３２は、例２３〜３１のうちのいずれか１つの主題を含み、任意的に、ＡＮＤＳＦ  ＭＯは、ＷＬＡＮ選択ポリシー（ＷＬＡＮＳＰ）を含む。
【０１７２】
例３３は、コンピュータ実行可能な命令を有する１以上の有形の非一時的なコンピュータ読み取り可能な記憶媒体を含む製品であって、コンピュータ実行可能な命令は、少なくとも１つのコンピュータプロセッサにより実行されたときに、少なくとも１つのコンピュータプロセッサがユーザ機器（ＵＥ）において方法を実行することを可能にするよう動作可能であり、方法は、優先インジケータを含むアクセスネットワーク発見選択機能（ＡＮＤＳＦ）管理オブジェクト（ＭＯ）を受信するステップと、優先インジケータに基づいて、セルラネットワークにより提供された無線アクセスネットワーク（ＲＡＮ）選択基準とＡＮＤＳＦサーバにより提供されたＡＮＤＳＦ選択基準との間で選択することにより、優先される選択基準を決定するステップと、優先される選択基準に従って、無線ローカルエリアネットワーク（ＷＬＡＮ）とセルラネットワークとの間でＵＥのトラフィックをオフロードするステップと、を含む、製品を含む。
【０１７３】
例３４は、例３３の主題を含み、任意的に、ＲＡＮ選択基準は、１以上のＲＡＮ  ＷＬＡＮ閾値を含み、ＡＮＤＳＦ選択基準は、１以上のＡＮＤＳＦ  ＷＬＡＮ閾値を含む。
【０１７４】
例３５は、例３４の主題を含み、任意的に、方法は、ＲＡＮ選択基準が優先されることを優先インジケータが示している場合、ＲＡＮ  ＷＬＡＮ閾値に従ってトラフィックをオフロードし、ＡＮＤＳＦ選択基準が優先されることを優先インジケータが示している場合、ＡＮＤＳＦ  ＷＬＡＮ閾値に従ってトラフィックをオフロードするステップを含む。
【０１７５】
例３６は、例３４又は３５の主題を含み、任意的に、ＡＮＤＳＦ  ＭＯは、１以上のＡＮＤＳＦ  ＷＬＡＮ閾値を含む。
【０１７６】
例３７は、例３４〜３６のうちのいずれか１つの主題を含み、任意的に、１以上のＡＮＤＳＦ  ＷＬＡＮ閾値は、少なくとも１つのＷＬＡＮ信号強度閾値を含む。
【０１７７】
例３８は、例３３〜３７のいずれか１つの主題を含み、任意的に、ＡＮＤＳＦ  ＭＯは、セルラネットワークとＷＬＡＮとの間の優先を示すオフロード優先インジケーションを含み、トラフィックをオフロードすることは、オフロード優先インジケーションに基づいてトラフィックをオフロードすることを含む。
【０１７８】
例３９は、例３３〜３８のうちのいずれか１つの主題を含み、任意的に、ＡＮＤＳＦ  ＭＯは、１以上のセルラ閾値を含む。
【０１７９】
例４０は、例３９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０１８０】
例４１は、例３３〜４０のうちのいずれか１つの主題を含み、任意的に、ＡＮＤＳＦ  ＭＯは、システム間ルーティングポリシー（ＩＳＲＰ）を含む。
【０１８１】
例４２は、例３３〜４１のうちのいずれか１つの主題を含み、任意的に、ＡＮＤＳＦ  ＭＯは、ＷＬＡＮ選択ポリシー（ＷＬＡＮＳＰ）を含む。
【０１８２】
例４３は、優先インジケータを含むアクセスネットワーク発見選択機能（ＡＮＤＳＦ）管理オブジェクト（ＭＯ）を受信する手段と、優先インジケータに基づいて、セルラネットワークにより提供された無線アクセスネットワーク（ＲＡＮ）選択基準とＡＮＤＳＦサーバにより提供されたＡＮＤＳＦ選択基準との間で選択することにより、優先される選択基準を決定する手段と、優先される選択基準に従って、無線ローカルエリアネットワーク（ＷＬＡＮ）とセルラネットワークとの間でＵＥのトラフィックをオフロードする手段と、を備えたユーザ機器（ＵＥ）を含む。
【０１８３】
例４４は、例４３の主題を含み、任意的に、ＲＡＮ選択基準は、１以上のＲＡＮ  ＷＬＡＮ閾値を含み、ＡＮＤＳＦ選択基準は、１以上のＡＮＤＳＦ  ＷＬＡＮ閾値を含む。
【０１８４】
例４５は、例４４の主題を含み、任意的に、ＲＡＮ選択基準が優先されることを優先インジケータが示している場合、ＲＡＮ  ＷＬＡＮ閾値に従ってトラフィックをオフロードし、ＡＮＤＳＦ選択基準が優先されることを優先インジケータが示している場合、ＡＮＤＳＦ  ＷＬＡＮ閾値に従ってトラフィックをオフロードする手段を備える。
【０１８５】
例４６は、例４４又は４５の主題を含み、任意的に、ＡＮＤＳＦ  ＭＯは、１以上のＡＮＤＳＦ  ＷＬＡＮ閾値を含む。
【０１８６】
例４７は、例４４〜４６のうちのいずれか１つの主題を含み、任意的に、１以上のＡＮＤＳＦ  ＷＬＡＮ閾値は、少なくとも１つのＷＬＡＮ信号強度閾値を含む。
【０１８７】
例４８は、例４３〜４７のうちのいずれか１つの主題を含み、任意的に、ＡＮＤＳＦ  ＭＯは、セルラネットワークとＷＬＡＮとの間の優先を示すオフロード優先インジケーションを含み、トラフィックをオフロードすることは、オフロード優先インジケーションに基づいてトラフィックをオフロードすることを含む。
【０１８８】
例４９は、例４３〜４８のうちのいずれか１つの主題を含み、任意的に、ＡＮＤＳＦ  ＭＯは、１以上のセルラ閾値を含む。
【０１８９】
例５０は、例４９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０１９０】
例５１は、例４３〜５０のうちのいずれか１つの主題を含み、任意的に、ＡＮＤＳＦ  ＭＯは、システム間ルーティングポリシー（ＩＳＲＰ）を含む。
【０１９１】
例５２は、例４３〜５１のうちのいずれか１つの主題を含み、任意的に、ＡＮＤＳＦ  ＭＯは、ＷＬＡＮ選択ポリシー（ＷＬＡＮＳＰ）を含む。
【０１９２】
例５３は、アクセスネットワーク発見選択機能（ＡＮＤＳＦ）サーバにおいて実行される方法であって、１以上のＡＮＤＳＦポリシーを含むＡＮＤＳＦ管理オブジェクト（ＭＯ）を決定するステップであって、ＡＮＤＳＦ  ＭＯは、セルラネットワークにより提供された無線アクセスネットワーク（ＲＡＮ）選択基準とＡＮＤＳＦサーバにより提供されたＡＮＤＳＦ選択基準との間の優先を示す優先インジケータを含む、ステップと、ＡＮＤＳＦ  ＭＯをユーザ機器（ＵＥ）に送信するステップと、を含む方法を含む。
【０１９３】
例５４は、例５３の主題を含み、任意的に、優先インジケータは、ＲＡＮ選択基準が優先されることを示す予め定められた第１の値又はＡＮＤＳＦ選択基準が優先されることを示す予め定められた第２の値を有する。
【０１９４】
例５５は、例５３又は５４の主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０１９５】
例５６は、例５５の主題を含み、任意的に、１以上のＡＮＤＳＦポリシーは、１以上のＡＮＤＳＦ  ＷＬＡＮ閾値を含む。
【０１９６】
例５７は、例５５又は５６の主題を含み、任意的に、１以上のＡＮＤＳＦ  ＷＬＡＮ閾値は、少なくとも１つのＷＬＡＮ信号強度閾値を含む。
【０１９７】
例５８は、例５３〜５７のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０１９８】
例５９は、例５３〜５８のうちのいずれか１つの主題を含み、任意的に、１以上のＡＮＤＳＦポリシーは、１以上のセルラ閾値を含む。
【０１９９】
例６０は、例５９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０２００】
例６１は、例５３〜６０のうちのいずれか１つの主題を含み、任意的に、１以上のＡＮＤＳＦポリシーは、システム間ルーティングポリシー（ＩＳＲＰ）を含む。
【０２０１】
例６２は、例５３〜６１のうちのいずれか１つの主題を含み、任意的に、１以上のＡＮＤＳＦポリシーは、ＷＬＡＮ選択ポリシー（ＷＬＡＮＳＰ）を含む。
【０２０２】
例６３は、コンピュータ実行可能な命令を有する１以上の有形の非一時的なコンピュータ読み取り可能な記憶媒体を含む製品であって、コンピュータ実行可能な命令は、少なくとも１つのコンピュータプロセッサにより実行されたときに、少なくとも１つのコンピュータプロセッサがアクセスネットワーク発見選択機能（ＡＮＤＳＦ）サーバにおいて方法を実行することを可能にするよう動作可能であり、方法は、１以上のＡＮＤＳＦポリシーを含むＡＮＤＳＦ管理オブジェクト（ＭＯ）を決定するステップであって、ＡＮＤＳＦ  ＭＯは、セルラネットワークにより提供された無線アクセスネットワーク（ＲＡＮ）選択基準とＡＮＤＳＦサーバにより提供されたＡＮＤＳＦ選択基準との間の優先を示す優先インジケータを含む、ステップと、ＡＮＤＳＦ  ＭＯをユーザ機器（ＵＥ）に送信するステップと、を含む、製品を含む。
【０２０３】
例６４は、例６３の主題を含み、任意的に、優先インジケータは、ＲＡＮ選択基準が優先されることを示す予め定められた第１の値又はＡＮＤＳＦ選択基準が優先されることを示す予め定められた第２の値を有する。
【０２０４】
例６５は、例６３又は６４の主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０２０５】
例６６は、例６５の主題を含み、任意的に、１以上のＡＮＤＳＦポリシーは、１以上のＡＮＤＳＦ  ＷＬＡＮ閾値を含む。
【０２０６】
例６７は、例６５又は６６の主題を含み、任意的に、１以上のＡＮＤＳＦ  ＷＬＡＮ閾値は、少なくとも１つのＷＬＡＮ信号強度閾値を含む。
【０２０７】
例６８は、例６３〜６７のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０２０８】
例６９は、例６３〜６８のうちのいずれか１つの主題を含み、任意的に、１以上のＡＮＤＳＦポリシーは、１以上のセルラ閾値を含む。
【０２０９】
例７０は、例６９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０２１０】
例７１は、例６３〜７０のうちのいずれか１つの主題を含み、任意的に、１以上のＡＮＤＳＦポリシーは、システム間ルーティングポリシー（ＩＳＲＰ）を含む。
【０２１１】
例７２は、例６３〜７１のうちのいずれか１つの主題を含み、任意的に、１以上のＡＮＤＳＦポリシーは、ＷＬＡＮ選択ポリシー（ＷＬＡＮＳＰ）を含む。
【０２１２】
例７３は、１以上のアクセスネットワーク発見選択機能（ＡＮＤＳＦ）ポリシーを含むＡＮＤＳＦ管理オブジェクト（ＭＯ）を決定する手段であって、ＡＮＤＳＦ  ＭＯは、セルラネットワークにより提供された無線アクセスネットワーク（ＲＡＮ）選択基準とＡＮＤＳＦサーバにより提供されたＡＮＤＳＦ選択基準との間の優先を示す優先インジケータを含む、手段と、ＡＮＤＳＦ  ＭＯをユーザ機器（ＵＥ）に送信する手段と、を備えたＡＮＤＳＦサーバを含む。
【０２１３】
例７４は、例７３の主題を含み、任意的に、優先インジケータは、ＲＡＮ選択基準が優先されることを示す予め定められた第１の値又はＡＮＤＳＦ選択基準が優先されることを示す予め定められた第２の値を有する。
【０２１４】
例７５は、例７３又は７４の主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０２１５】
例７６は、例７５の主題を含み、任意的に、１以上のＡＮＤＳＦポリシーは、１以上のＡＮＤＳＦ  ＷＬＡＮ閾値を含む。
【０２１６】
例７７は、例７５又は７６の主題を含み、任意的に、１以上のＡＮＤＳＦ  ＷＬＡＮ閾値は、少なくとも１つのＷＬＡＮ信号強度閾値を含む。
【０２１７】
例７８は、例７３〜７７のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０２１８】
例７９は、例７３〜７８のうちのいずれか１つの主題を含み、任意的に、１以上のＡＮＤＳＦポリシーは、１以上のセルラ閾値を含む。
【０２１９】
例８０は、例７９の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０２２０】
例８１は、例７３〜８０のうちのいずれか１つの主題を含み、任意的に、１以上のＡＮＤＳＦポリシーは、システム間ルーティングポリシー（ＩＳＲＰ）を含む。
【０２２１】
例８２は、例７３〜８１のうちのいずれか１つの主題を含み、任意的に、１以上のＡＮＤＳＦポリシーは、ＷＬＡＮ選択ポリシー（ＷＬＡＮＳＰ）を含む。
【０２２２】
例８３は、コンピュータ実行可能な命令を有する１以上の有形の非一時的なコンピュータ読み取り可能な記憶媒体を含む製品であって、コンピュータ実行可能な命令は、少なくとも１つのコンピュータプロセッサにより実行されたときに、アクセスネットワーク発見選択機能（ＡＮＤＳＦ）管理オブジェクト（ＭＯ）を処理するステップであって、ＡＮＤＳＦ  ＭＯは、１以上のＡＮＤＳＦポリシーであって、少なくとも１つのＡＮＤＳＦポリシーは、セルラネットワークと無線ローカルエリアネットワーク（ＷＬＡＮ）との間でトラフィックをオフロードするためのＡＮＤＳＦ選択基準を含む、１以上のＡＮＤＳＦポリシー、及び、ＡＮＤＳＦ選択基準とセルラネットワークからの無線アクセスネットワーク（ＲＡＮ）選択基準との間の優先を示す優先インジケータを含む、ステップを含む方法を少なくとも１つのコンピュータプロセッサが実行することを可能にするよう動作可能である、製品を含む。
【０２２３】
例８４は、例８３の主題を含み、任意的に、方法は、ＡＮＤＳＦ  ＭＯを決定し、ＡＮＤＳＦ  ＭＯをユーザ機器（ＵＥ）に送信するステップを含む。
【０２２４】
例８５は、例８３の主題を含み、任意的に、方法は、ユーザ機器（ＵＥ）においてＡＮＤＳＦ  ＭＯを受信し、優先インジケータに従った優先される選択基準を使用して、ＵＥのトラフィックをオフロードするステップを含む。
【０２２５】
例８６は、例８３〜８５のうちのいずれか１つの主題を含み、任意的に、優先インジケータは、ＲＡＮ選択基準が優先されることを示す予め定められた第１の値又はＡＮＤＳＦ選択基準が優先されることを示す予め定められた第２の値を有する。
【０２２６】
例８７は、例８３〜８６のうちのいずれか１つの主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０２２７】
例８８は、例８７の主題を含み、任意的に、１以上のＡＮＤＳＦポリシーは、１以上のＡＮＤＳＦ  ＷＬＡＮ閾値を含む。
【０２２８】
例８９は、例８７又は８８の主題を含み、任意的に、１以上のＡＮＤＳＦ  ＷＬＡＮ閾値は、少なくとも１つのＷＬＡＮ信号強度閾値を含む。
【０２２９】
例９０は、例８３〜８９のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０２３０】
例９１は、例８３〜９０のうちのいずれか１つの主題を含み、任意的に、１以上のＡＮＤＳＦポリシーは、１以上のセルラ閾値を含む。
【０２３１】
例９２は、例９１の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０２３２】
例９３は、例８３〜９２のうちのいずれか１つの主題を含み、任意的に、１以上のＡＮＤＳＦポリシーは、システム間ルーティングポリシー（ＩＳＲＰ）を含む。
【０２３３】
例９４は、例８３〜９３のうちのいずれか１つの主題を含み、任意的に、１以上のＡＮＤＳＦポリシーは、ＷＬＡＮ選択ポリシー（ＷＬＡＮＳＰ）を含む。
【０２３４】
例９５は、アクセスネットワーク発見選択機能（ＡＮＤＳＦ）管理オブジェクト（ＭＯ）を処理する手段であって、ＡＮＤＳＦ  ＭＯは、１以上のＡＮＤＳＦポリシーであって、少なくとも１つのＡＮＤＳＦポリシーは、セルラネットワークと無線ローカルエリアネットワーク（ＷＬＡＮ）との間でトラフィックをオフロードするためのＡＮＤＳＦ選択基準を含む、１以上のＡＮＤＳＦポリシー、及び、ＡＮＤＳＦ選択基準とセルラネットワークからの無線アクセスネットワーク（ＲＡＮ）選択基準との間の優先を示す優先インジケータを含む、手段を備えた装置を含む。
【０２３５】
例９６は、例９５の主題を含み、任意的に、ＡＮＤＳＦ  ＭＯを決定し、ＡＮＤＳＦ  ＭＯをユーザ機器（ＵＥ）に送信する手段を備える。
【０２３６】
例９７は、例９５の主題を含み、任意的に、ユーザ機器（ＵＥ）においてＡＮＤＳＦ  ＭＯを受信し、優先インジケータに従った優先される選択基準を使用して、ＵＥのトラフィックをオフロードする手段を備える。
【０２３７】
例９８は、例９５〜９７のうちのいずれか１つの主題を含み、任意的に、優先インジケータは、ＲＡＮ選択基準が優先されることを示す予め定められた第１の値又はＡＮＤＳＦ選択基準が優先されることを示す予め定められた第２の値を有する。
【０２３８】
例９９は、例９５〜９８のうちのいずれか１つの主題を含み、任意的に、ＲＡＮ選択基準は、１以上のＲＡＮ無線ローカルエリアネットワーク（ＷＬＡＮ）閾値を含み、ＡＮＤＳＦ選択基準は、１以上のＡＮＤＳＦ  ＷＬＡＮ閾値を含む。
【０２３９】
例１００は、例９９の主題を含み、任意的に、１以上のＡＮＤＳＦポリシーは、１以上のＡＮＤＳＦ  ＷＬＡＮ閾値を含む。
【０２４０】
例１０１は、例９９又は１００の主題を含み、任意的に、１以上のＡＮＤＳＦ  ＷＬＡＮ閾値は、少なくとも１つのＷＬＡＮ信号強度閾値を含む。
【０２４１】
例１０２は、例９５〜１０１のうちのいずれか１つの主題を含み、任意的に、１以上のＡＮＤＳＦポリシーは、セルラネットワークと無線ローカルエリアネットワーク（ＷＬＡＮ）との間の優先を示すオフロード優先インジケーションを含む。
【０２４２】
例１０３は、例９５〜１０２のうちのいずれか１つの主題を含み、任意的に、１以上のＡＮＤＳＦポリシーは、１以上のセルラ閾値を含む。
【０２４３】
例１０４は、例１０３の主題を含み、任意的に、セルラ閾値は、基準信号受信電力（ＲＳＲＰ）閾値及び希望波受信電力（ＲＳＣＰ）閾値からなる群から選択された少なくとも１つの閾値を含む。
【０２４４】
例１０５は、例９５〜１０４のうちのいずれか１つの主題を含み、任意的に、１以上のＡＮＤＳＦポリシーは、システム間ルーティングポリシー（ＩＳＲＰ）を含む。
【０２４５】
例１０６は、例９５〜１０５のうちのいずれか１つの主題を含み、任意的に、１以上のＡＮＤＳＦポリシーは、ＷＬＡＮ選択ポリシー（ＷＬＡＮＳＰ）を含む。
【０２４６】
１以上の実施形態に関連して本明細書で説明した機能、動作、コンポーネント、及び／又は特徴は、１以上の他の実施形態に関連して本明細書で説明した１以上の他の機能、動作、コンポーネント、及び／又は特徴と組み合わされてもよいし、それらと組み合わされて利用されてもよく、その逆も可能である。
【０２４７】
本明細書において、所定の特徴について例示及び説明したが、当業者であれば、多くの修正形態、代替形態、変更形態、及び均等形態を思い付くであろう。したがって、添付の特許請求の範囲は、本開示の真の主旨に含まれるそのようなすべての修正形態及び変更形態を網羅することを意図していると理解されたい。
【図１】
2017505044.tif 000002
【図２】
2017505044.tif 000003
【図３】
2017505044.tif 000004
【図４】
2017505044.tif 000005
【図５】
2017505044.tif 000006
【図６】
2017505044.tif 000007
【図７】
2017505044.tif 000008
【国際調査報告】
2017505044.tif 000009
2017505044.tif 000010